(57)【要約】【課題】管轄地域毎に設置されていた監視制御システムを集約し監視制御システムを配置する。【解決手段】監視制御サーバ装置と、ＨＭＩサーバ装置と、操作権限記憶サーバ装置と、制御卓端末と、第１ネットワークと、第２ネットワークと、第３ネットワークと、を備え、操作権限記憶部は、電力設備を操作する操作者の権限を示す操作権限情報を記憶し、監視制御機能は、電力設備の監視情報を電力設備から取得し、ヒューマンインターフェース機能は、認証情報を制御卓端末から取得し、監視情報を監視制御機能から取得し、操作権限情報を操作権限記憶部から取得し、設備情報記憶部から設備情報を取得し、認証情報と監視情報と操作権限情報と、設備情報とに基づく画像情報を制御卓端末に対して送信し、認証機能は、認証情報をヒューマンインターフェース機能に対して送信し、端末表示機能は、画像情報を受信し、受信した画像情報を表示する集中監視制御システム。【選択図】図１
2018106246.tif 000002
【特許請求の範囲】
【請求項１】
電力設備の設備情報を記憶する設備情報記憶部を有し、監視制御機能を有する監視制御サーバ装置と、
ヒューマンインターフェース機能を有するＨＭＩサーバ装置と、
操作権限記憶部を有する操作権限記憶サーバ装置と、
操作者の認証情報を取得する認証機能と端末表示機能とを有する制御卓端末と、
前記制御卓端末と前記ＨＭＩサーバ装置とを接続する第１ネットワークと、
前記ＨＭＩサーバ装置と、前記監視制御サーバ装置と、前記操作権限記憶サーバ装置とを接続する第２ネットワークと、
前記監視制御サーバ装置と、前記監視制御サーバ装置の監視対象の前記電力設備とを接続する第３ネットワークと、
を備え、
前記操作権限記憶部は、
前記電力設備を操作する前記操作者の権限を示す操作権限情報を記憶し、
前記監視制御機能は、前記電力設備の監視情報を前記電力設備から取得し、
前記ヒューマンインターフェース機能は、
前記認証情報を前記制御卓端末から取得し、前記監視情報を前記監視制御機能から取得し、前記操作権限情報を前記操作権限記憶部から取得し、前記設備情報記憶部から前記設備情報を取得し、前記認証情報と前記監視情報と前記操作権限情報と、前記設備情報とに基づく画像情報を前記制御卓端末に対して送信し、
前記認証機能は、前記認証情報を前記ヒューマンインターフェース機能に対して送信し、
前記端末表示機能は、前記画像情報を受信し、受信した前記画像情報を表示する
集中監視制御システム。
【請求項２】
前記制御卓端末は、操作送信機能を更に有し、
前記操作送信機能は、
前記操作者による前記電力設備の制御を示す制御情報を検出し、検出した前記制御情報を前記ヒューマンインターフェース機能に対して送信し、
前記ヒューマンインターフェース機能は、
前記制御卓端末から前記制御情報を受信し、受信した前記制御情報を前記監視制御機能に対して送信し、
前記監視制御機能は、受信した前記制御情報を前記電力設備に対して送信する、
請求項１に記載の集中監視制御システム。
【請求項３】
前記ＨＭＩサーバ装置を複数備え、
前記ＨＭＩサーバ装置は、
前記ヒューマンインターフェース機能を有する仮想計算機システムを複数備え、
前記仮想計算機システムと、前記制御卓端末とは、
前記第１ネットワークによって接続され、
前記監視制御機能と、前記仮想計算機システムとは、
第２ネットワークによって接続される
請求項１又は請求項２に記載の集中監視制御システム。
【発明の詳細な説明】
【技術分野】
【０００１】
本発明は、集中監視制御システムに関する。
【背景技術】
【０００２】
電力系統は、発電所で電力を発電し変圧器で昇圧した後、送電線にて送電し、一次変電所、及び配電用変電所に設置された変圧器で降圧されて配電線へ供給する機能を備える。電力系統は、開閉器、及び遮断器等の複数の電力設備によって構成される。監視制御システムは、監視制御対象の管轄地域に存在する電力設備に対し、当該電力設備に流れる電流値の監視や開閉器、及び遮断器の開閉を制御する。
【０００３】
ここで、各管轄地域に配置される複数の監視制御システムは、電力設備に関する情報（以下、電力設備情報）が記憶されるデータベースを監視制御システム毎に備えており、当該データベースを参照することによって監視制御対象の電力設備を監視制御する方法が知られている。また、ある監視制御システムに不具合が生じた場合、当該ある監視制御システムの管轄地域に存在する電力設備を他の監視制御システムが監視制御する構成に切り替えることによって、電力設備が監視制御不能の状態になることを回避する方法が知られている（例えば、特許文献１参照）。
【先行技術文献】
【特許文献】
【０００４】
【特許文献１】特開２００３−３２９１６号公報
【発明の概要】
【発明が解決しようとする課題】
【０００５】
ここで、従来の技術では、電力設備が監視制御不能の状態となることを回避することができる反面、管轄地域毎に監視制御システムを設置することが求められる。この場合、監視制御システムを複数設置することに伴う経費を低減することが困難である。
【０００６】
本発明は、上記問題に鑑みて為されたものであり、管轄地域毎に設置されていた監視制御システムを集約し、各管轄地域に監視制御システムを配置することに伴う経費を低減する集中監視制御システムを提供することを目的とする。
【課題を解決するための手段】
【０００７】
本発明の一態様は、電力設備の設備情報を記憶する設備情報記憶部を有し、監視制御機能を有する監視制御サーバ装置と、ヒューマンインターフェース機能を有するＨＭＩサーバ装置と、操作権限記憶部を有する操作権限記憶サーバ装置と、操作者の認証情報を取得する認証機能と端末表示機能とを有する制御卓端末と、前記制御卓端末とＨＭＩサーバ装置とを接続する第１ネットワークと、前記ＨＭＩサーバ装置と前記監視制御サーバ装置と操作権限記憶サーバ装置とを接続する第２ネットワークと、前記監視制御サーバ装置と、前記監視制御サーバ装置の監視対象の電力設備とを接続する第３ネットワークと、を備え、前記操作権限記憶部は、前記電力設備を操作する操作者の権限を示す操作権限情報を記憶し、前記監視制御機能は、前記電力設備の監視情報を前記電力設備から取得し、前記ヒューマンインターフェース機能は、前記認証情報を前記制御卓端末から取得し、前記監視情報を前記監視制御機能から取得し、操作権限情報を前記操作権限記憶部から取得し、前記設備情報記憶部から前記設備情報を取得し、前記認証情報と前記監視情報と前記操作権限情報と、前記設備情報とに基づく画像情報を前記制御卓端末に対して送信し、前記認証機能は、前記認証情報を前記ヒューマンインターフェース機能に対して送信し、前記端末表示機能は、前記画像情報を受信し、受信した前記画像情報を表示する集中監視制御システムである。
【０００８】
また、本発明の一態様の集中監視制御システムは、前記制御卓端末は、操作送信機能を更に有し、前記操作送信機能は、前記操作者による前記電力設備の制御を示す制御情報を検出し、検出した前記制御情報を前記ヒューマンインターフェース機能に対して送信し、前記ヒューマンインターフェース機能は、前記制御卓端末から前記制御情報を受信し、受信した前記制御情報を前記監視制御機能に対して送信し、前記監視制御機能は、受信した前記制御情報を前記電力設備に対して送信する。
【０００９】
また、本発明の一態様の集中監視制御システムは、前記ＨＭＩサーバ装置を複数備え、前記ＨＭＩサーバ装置は、前記ヒューマンインターフェース機能を有する仮想計算機システムを複数備え、前記仮想計算機システムと、前記制御卓端末とは、前記第１ネットワークによって接続され、前記監視制御機能と、前記仮想計算機システムとは、第２ネットワークによって接続される。
【発明の効果】
【００１０】
本発明によれば、管轄地域毎に設置されていた監視制御システムを集約し、各管轄地域に監視制御システムを配置することに伴う経費を低減することができる。
【図面の簡単な説明】
【００１１】
【図１】第１実施形態の集中監視制御システムの概要を示す図である。
【図２】第１実施形態の制御所のオペレーションルームの概要を示す図である。
【図３】第１実施形態の集中監視制御システムの構成の一例を示す図である。
【図４】第１実施形態の操作権限情報の一例を示す表である。
【図５】第１実施形態の設備情報の一例を示す表である。
【図６】第１実施形態のサーバ群が有する設備情報記憶部の構成の一例を示す図である。
【図７】第１実施形態のメンテナンスサーバ装置の動作の一例を示す流れ図である。
【図８】第１実施形態の監視制御サーバ装置の動作の一例を示す第１の流れ図である。
【図９】第１実施形態の監視制御サーバ装置の動作の一例を示す第２の流れ図である。
【図１０】第１実施形態の広域ネットワークの具体的な構成の一例を示す図である。
【図１１】第１実施形態の既設ネットワークの具体的な構成の一例を示す図である。
【図１２】第１実施形態の集中監視制御システムの動作の一例を示す第１の流れ図である。
【図１３】第１実施形態の集中監視制御システムの動作の一例を示す第２の流れ図である。
【図１４】第１実施形態の集中監視制御システムの動作の一例を示す第３の流れ図である。
【図１５】第１実施形態の通信変換装置の構成の一例を示す図である。
【図１６】第１実施形態の通信変換装置の動作の一例を示す流れ図である。
【図１７】第２実施形態のＨＭＩサーバ装置のヒューマンインターフェース機能の構成の一例を示す図である。
【図１８】第２実施形態の集中監視制御システムの広域ネットワークと、既設ネットワークとの接続の一例を示す図である。
【発明を実施するための形態】
【００１２】
［第１実施形態］
以下、図を参照して本発明の第１実施形態について説明する。
図１は、第１実施形態の集中監視制御システム１の概要を示す図である。
【００１３】
［集中監視制御システムの構成］
集中監視制御システム１は、サーバ拠点Ｓと、制御所Ｃとを備える。この一例では、集中監視制御システム１は、３か所のサーバ拠点Ｓ、すなわち、サーバ拠点ＳＡサーバ拠点ＳＢ、及びサーバ拠点ＳＣを備える。以下の説明において、サーバ群１０Ａ、サーバ群１０Ｂ、及びサーバ群１０Ｃを区別しない場合、サーバ群１０と記載する。
サーバ拠点Ｓは、複数のサーバ装置（不図示）を備える。以下の説明において、あるサーバ拠点Ｓが備えるサーバ装置を総称してサーバ群１０と記載する。この一例では、サーバ拠点ＳＡは、サーバ群１０Ａを備える。サーバ拠点ＳＢは、サーバ群１０Ｂを備える。サーバ拠点ＳＣは、サーバ群１０Ｃを備える。サーバ拠点ＳＡ、サーバ拠点ＳＢ、及びサーバ拠点ＳＣには、それぞれ、管轄地域が設定される。管轄地域とは、サーバ拠点Ｓが監視制御する対象の設備ＥＱ（制御所Ｃ）が存在する地域である。設備ＥＱとは、変電所Ｔが備える電力設備である。サーバ拠点Ｓは、広域ネットワークｈＮを介して互いに情報が送受信可能に接続される。
【００１４】
また、この一例では、集中監視制御システム１は、６か所の制御所Ｃ、すなわち、Ａ地域制御所ＣＡ、Ｂ地域制御所ＣＢ、Ｃ地域制御所ＣＣ、Ｄ地域制御所ＣＤ、Ｅ地域制御所ＣＥ、及びＦ地域制御所ＣＦを備える。以降の説明において、Ａ地域制御所ＣＡ、Ｂ地域制御所ＣＢ、Ｃ地域制御所ＣＣ、Ｄ地域制御所ＣＤ、Ｅ地域制御所ＣＥ、及びＦ地域制御所ＣＦを区別しない場合には、総称して制御所Ｃと記載する。制御所Ｃと、変電所Ｔとは、既設ネットワークｅＮ（不図示）によって互いに情報が送受信可能に接続される。
具体的には、Ａ地域制御所ＣＡは、既設ネットワークｅＮを介して変電所Ｔ（Ａ１変電所〜Ａ４変電所）と接続される。また、Ｂ地域制御所ＣＢは、既設ネットワークｅＮを介して変電所Ｔ（Ｂ１変電所及びＢ２変電所）と接続される。また、Ｃ地域制御所ＣＣは、既設ネットワークｅＮを介して変電所Ｔ（Ｃ１変電所〜Ｃ３変電所）と接続される。また、Ｄ地域制御所ＣＤは、既設ネットワークｅＮを介して変電所Ｔ（Ｄ１変電所〜Ｄ５変電所）と接続される。また、Ｅ地域制御所ＣＥは、既設ネットワークｅＮを介して変電所Ｔ（Ｅ１変電所〜Ｅ４変電所）と接続される。また、Ｆ地域制御所ＣＦは、既設ネットワークｅＮを介して変電所Ｔ（Ｆ１変電所〜Ｆ４変電所）と接続される。
サーバ拠点ＳＡ、サーバ拠点ＳＢ、及びサーバ拠点ＳＣは、それぞれに設定された管轄地域に存在する設備ＥＱ（制御所Ｃ）の情報を広域ネットワークｈＮ、及び既設ネットワークｅＮを介して集約する。
【００１５】
［制御所の具体的な構成について］
次に、図２を参照して、制御所Ｃの具体的な構成例について説明する。
図２は、第１実施形態の制御所Ｃのオペレーションルームの概要を示す図である。
図２に示す通り、制御所Ｃのオペレーションルーム内又はサーバルーム内には、系統盤ファットクライアントＦＣＴと、制御卓シンクライアントＳＣＴとが備えられる。この一例では、系統盤ファットクライアントＦＣＴと、制御卓シンクライアントＳＣＴとが、制御所Ｃのオペレーションルーム内に備えられている場合を一例にして説明する。
系統盤ファットクライアントＦＣＴとは、系統盤表示機能を有するサーバ群１０のクライアントである。図２に示す通り、この一例では、系統盤ファットクライアントＦＣＴは、表示部ＤＰ２と集中表示盤ＰＮＬとを備える。
系統盤表示機能とは、サーバ群１０が広域ネットワークｈＮを介して送信する監視情報ＭＩを受信し、受信した監視情報ＭＩに基づく画像Ｐを生成する機能である。また、系統盤表示機能とは、生成した当該画像Ｐを表示部ＤＰ２、及び集中表示盤ＰＮＬに表示する機能である。監視情報ＭＩとは、集中監視制御システム１の監視対象の設備ＥＱの状態を示す情報である。制御所Ｃの運転員は、系統盤ファットクライアントＦＣＴが表示する監視情報ＭＩに基づく画像Ｐを、表示部ＤＰ２又は集中表示盤ＰＮＬによって確認する。これにより、Ｃの運転員は、設備ＥＱの状態を把握する。
【００１６】
制御卓シンクライアントＳＣＴとは、認証機能と、端末表示機能と、操作送信機能とを有するサーバ群１０のクライアントである。図２に示す通り、制御卓シンクライアントＳＣＴは、監視端末表示部ＤＰ１と、マウスＭＳと、キーボードＫＢと、認証情報取得部ＶＥＳとを備える。制御卓シンクライアントＳＣＴとは、制御卓端末の一例である。
認証機能とは、制御卓シンクライアントＳＣＴを操作する操作者（以下、操作者ＯＰＴ）の認証情報ＢＩを取得し、取得した認証情報ＢＩをサーバ群１０に送信する機能である。認証情報ＢＩは、当該認証情報ＢＩを所有する操作者ＯＰＴが、設備ＥＱを監視制御することを認証されたことを示す情報である。操作者ＯＰＴは、例えば、設備ＥＱを監視制御することを集中監視制御システム１の所有者によって認証される。集中監視制御システム１の所有者とは、例えば、電気事業者である。認証情報ＢＩは、例えば、操作者ＯＰＴが所有する認証カード内の非接触ＩＣチップあるいは磁気ストラップが保持する情報である。この場合、認証情報取得部ＶＥＳとは、例えばカードリーダといった認証情報ＢＩを読み取る装置である。制御卓シンクライアントＳＣＴは、認証情報ＢＩを取得し、取得した認証情報ＢＩを広域ネットワークｈＮを介してサーバ群１０に送信する。
端末表示機能とは、サーバ群１０が広域ネットワークｈＮを介して送信する画像情報ＧＩを受信し、受信した画像情報ＧＩを監視端末表示部ＤＰ１に表示する機能である。画像情報ＧＩとは、単線結線図の画像を示す情報である。単線結線図とは、設備ＥＱをシンボルによって示し、かつ当該シンボルの接続関係を線分によって示した図である。サーバ群１０が、画像情報ＧＩを生成し、制御卓シンクライアントＳＣＴに送信する構成については、後述する。
操作送信機能とは、操作者ＯＰＴの操作を検出し、サーバ群１０に送信する機能である。操作者ＯＰＴの操作とは、設備ＥＱの制御を目的とした操作である。この一例では、制御所Ｃの運転員である操作者ＯＰＴが、キーボードＫＢ、及びマウスＭＳによって設備ＥＱの制御を目的とした操作を入力する。操作送信機能は、当該操作から設備ＥＱの制御を示す情報（以下、制御情報ＣＩ）を検出し、検出した制御情報ＣＩをサーバ群１０に対して送信する。具体的には、制御卓シンクライアントＳＣＴは、広域ネットワークｈＮを介して取得した制御情報ＣＩをサーバ群１０に送信する。
サーバ群１０は、制御卓シンクライアントＳＣＴが送信する認証情報ＢＩと、制御情報ＣＩとを受信し、認証情報ＢＩを所有する操作者ＯＰＴが、制御情報ＣＩに示される設備ＥＱを制御することが認証された操作者ＯＰＴであるか否かを判定する。サーバ群１０は、認証情報ＢＩを所有する操作者ＯＰＴが、設備ＥＱを監視制御することを認証された操作者ＯＰＴである場合、当該制御情報ＣＩに基づいて設備ＥＱに制御情報ＣＩを送信する。サーバ群１０が、認証情報ＢＩに基づいて操作者ＯＰＴが認証された操作者ＯＰＴであるか否かを判定する構成については、後述する。
【００１７】
［集中監視制御システムの機能構成について］
次に、図３を参照して集中監視制御システム１の構成のより具体的な例について説明する。
図３は、第１実施形態の集中監視制御システム１の構成の一例を示す図である。
上述したように、サーバ拠点Ｓは、サーバ群１０を備える。サーバ群１０には、監視制御サーバ装置ＭＳＶ、系統盤サーバ装置ＣＳＶ、システム監視サーバ装置ＳＳＶ、及びＨＭＩサーバ装置ＲＳＶが含まれる。
したがって、サーバ拠点ＳＡは、監視制御サーバ装置ＭＳＶＡ、系統盤サーバ装置ＣＳＶＡ、ＨＭＩサーバ装置ＲＳＶＡ、及びシステム監視サーバ装置ＳＳＶＡを含むサーバ群１０Ａを備える。また、サーバ拠点ＳＢは、監視制御サーバ装置ＭＳＶＢと、系統盤サーバ装置ＣＳＶＢ、及びＨＭＩサーバ装置ＲＳＶＢを含むサーバ群１０Ｂを備える。サーバ拠点ＳＣは、監視制御サーバ装置ＭＳＶＣ、系統盤サーバ装置ＣＳＶＣ、ＨＭＩサーバ装置ＲＳＶＣ、及びシステム監視サーバ装置ＳＳＶＣを含むサーバ群１０Ｃを備える。
以降の説明において、監視制御サーバ装置ＭＳＶＡ、監視制御サーバ装置ＭＳＶＢ、及び監視制御サーバ装置ＭＳＶＣを区別しない場合には、総称して監視制御サーバ装置ＭＳＶと記載する。また、系統盤サーバ装置ＣＳＶＡ、系統盤サーバ装置ＣＳＶＢ、及び系統盤サーバ装置ＣＳＶＣを区別しない場合には、総称して系統盤サーバ装置ＣＳＶと記載する。また、ＨＭＩサーバ装置ＲＳＶＡ、ＨＭＩサーバ装置ＲＳＶＢ、及びＨＭＩサーバ装置ＲＳＶＣを区別しない場合は、総称してＨＭＩサーバ装置ＲＳＶと記載する。また、システム監視サーバ装置ＳＳＶＡ、システム監視サーバ装置ＳＳＶＢ、及びシステム監視サーバ装置ＳＳＶＣを区別しない場合には、総称してシステム監視サーバ装置ＳＳＶと記載する。
【００１８】
［各サーバ装置について］
以下、サーバ群１０に含まれる各サーバ装置の機能について説明する。
監視制御サーバ装置ＭＳＶとは、監視制御機能を有するサーバ装置である。監視制御機能とは、監視制御サーバ装置ＭＳＶの監視対象の設備ＥＱの監視情報ＭＩを設備ＥＱから取得する機能である。また、監視制御機能とは、制御卓シンクライアントＳＣＴから受信した制御情報ＣＩを設備ＥＱへ送信する機能である。設備ＥＱは、監視制御サーバ装置ＭＳＶが送信する制御情報ＣＩに基づいて制御され、動作する。
【００１９】
系統盤サーバ装置ＣＳＶとは、表示制御機能を有するサーバ装置である。表示制御機能とは、監視情報ＭＩを設備ＥＱから取得し、取得した監視情報ＭＩを系統盤ファットクライアントＦＣＴへ送信する機能である。
【００２０】
システム監視サーバ装置ＳＳＶは、各サーバ拠点Ｓに配置するサーバ群１０のシステム状態とネットワーク状態を監視し不具合ログを記録するサーバ装置である。
【００２１】
ＨＭＩサーバ装置ＲＳＶとは、ヒューマンインターフェース機能を有するサーバ装置である。
ヒューマンインターフェース機能とは、認証情報ＢＩを制御卓シンクライアントＳＣＴから取得し、監視情報ＭＩと設備情報ＥＩとを監視制御サーバ装置ＭＳＶから取得し、操作権限情報ＬＩを操作権限記憶サーバ装置ＡＳＶから取得する機能である。また、ヒューマンインターフェース機能とは、取得した認証情報ＢＩと、監視情報ＭＩと、操作権限情報ＬＩと設備情報ＥＩとに基づいて、画像情報ＧＩを生成する機能である。また、ヒューマンインターフェース機能とは、生成した当該画像情報ＧＩを制御卓シンクライアントＳＣＴに送信する機能である。操作権限記憶サーバ装置ＡＳＶとは、操作権限情報ＬＩを記憶する操作権限記憶部（不図示）を備えるサーバ装置である。
【００２２】
以下、図を参照して操作権限情報ＬＩについて説明する。
図４は、第１実施形態の操作権限情報ＬＩの一例を示す表である。
操作権限情報ＬＩとは、設備ＥＱを操作する操作者ＯＰＴの権限を示す情報である。この一例では、操作権限情報ＬＩは、認証情報ＢＩと、操作範囲情報ＬＡＩとが関連付けられた情報である。操作範囲情報ＬＡＩとは、操作範囲情報ＬＡＩに関連付けられた認証情報ＢＩを所有する操作者ＯＰＴが、監視制御する権限（監視制御権限）を有する設備ＥＱを示す情報である。具体的には、操作範囲情報ＬＡＩには、制御所Ｃが示される。操作範囲情報ＬＡＩに示される制御所Ｃとは、操作者ＯＰＴが監視制御権限を有する設備ＥＱが備えられる変電所Ｔに既設ネットワークｅＮによって接続される制御所Ｃである。
図４に示す通り、この一例では、操作権限情報ＬＩには、認証情報ＢＩ１と、操作範囲情報ＬＡＩ１とが関連付けられた情報（操作権限情報ＬＩ１）と、認証情報ＢＩ２と、操作範囲情報ＬＡＩ２とが関連付けられた情報（操作権限情報ＬＩ２）と、認証情報ＢＩ３と、操作範囲情報ＬＡＩ３とが関連付けられた情報（操作権限情報ＬＩ３）とが含まれる。
【００２３】
図３に戻り、ヒューマンインターフェース機能は、制御卓シンクライアントＳＣＴから取得した認証情報ＢＩに関連付けられた操作範囲情報ＬＡＩに存在する設備ＥＱを示す単線結線図の画像を生成する。ヒューマンインターフェース機能は、広域ネットワークｈＮを介して生成した画像を示す画像情報ＧＩを制御卓シンクライアントＳＣＴに送信する。
【００２４】
また、ヒューマンインターフェース機能とは、制御卓シンクライアントＳＣＴから取得した認証情報ＢＩと、制御情報ＣＩとに基づいて、監視制御サーバ装置ＭＳＶに制御情報ＣＩを中継する機能である。ヒューマンインターフェース機能は、制御卓シンクライアントＳＣＴから取得した制御情報ＣＩを監視制御サーバ装置ＭＳＶに供給する。
【００２５】
［広域ネットワークと既設ネットワークとの接続について］
以下、図３を参照して、広域ネットワークｈＮ、及び既設ネットワークｅＮの詳細について説明する。
上述したように、制御所Ｃと、変電所Ｔとは、既設ネットワークｅＮによって互いに接続される。既設ネットワークｅＮは、制御所Ｃ毎に存在し、制御所Ｃと、当該制御所Ｃが制御する制御対象の変電所Ｔとが接続さる。広域ネットワークｈＮと、既設ネットワークｅＮとは、カスケード接続（多段接続）される。以降の説明において、広域ネットワークｈＮと、既設ネットワークｅＮとを区別しない場合には、ネットワークＮと総称する。これにより、制御所Ｃと、サーバ拠点Ｓとは、ネットワークＮを介して接続される。
なお、既設ネットワークｅＮには、変電所Ｔが備える設備ＥＱの監視を行う保守箇所Ｍが接続される。保守箇所Ｍは、制御所Ｃとは異なる事業所であって、設備ＥＱの監視を行うための事業所である。保守箇所Ｍは、端末表示機能を有する制御卓シンクライアントＳＣＴを備える。この場合、保守箇所Ｍが備える制御卓シンクライアントＳＣＴの端末表示機能は、サーバ群１０が広域ネットワークｈＮを介して送信する画像情報ＧＩを受信し、監視端末表示部ＤＰ１に表示する。
【００２６】
［代表サーバ拠点備える各サーバ装置について］
この一例では、サーバ拠点ＳＡサーバ拠点ＳＢ、及びサーバ拠点ＳＣのうち、サーバ拠点ＳＡが代表のサーバ拠点Ｓである場合について説明する。
図３に示す通り、代表のサーバ拠点Ｓであるサーバ拠点ＳＡは、上述した操作権限記憶サーバ装置ＡＳＶと、運転支援サーバ装置ＢＳＶと、メンテナンスサーバ装置ＫＳＶとを更に備える。
【００２７】
［操作権限記憶サーバ装置について］
操作権限記憶サーバ装置ＡＳＶとは、上述したように、操作権限情報ＬＩを記憶する操作権限記憶部（不図示）を備えるサーバ装置である。
集中監視制御システム１を管理するシステム管理者は、集中監視制御システム１の運用開始前に操作権限記憶サーバ装置ＡＳＶを操作し、操作権限記憶部に操作権限情報ＬＩを記憶させる。また、システム管理者は、操作権限情報ＬＩに変更が生じた際に、操作権限記憶サーバ装置ＡＳＶを操作し、操作権限記憶部に当該操作権限情報ＬＩを記憶させる。操作権限記憶サーバ装置ＡＳＶは、システム管理者の操作に応じて、操作権限記憶部から操作権限情報ＬＩを読み出し、ＨＭＩサーバ装置ＲＳＶへ送信する。ＨＭＩサーバ装置ＲＳＶは、操作権限情報ＬＩを受信し、ＨＭＩサーバ装置ＲＳＶが備える記憶部（不図示）へ記憶させる。
【００２８】
［運転支援サーバ装置について］
運転支援サーバ装置ＢＳＶとは、履歴記録機能を有するサーバ装置である。
履歴記録機能とは、操作者ＯＰＴが制御卓シンクライアントＳＣＴに入力した設備ＥＱを制御する操作履歴を記録する機能である。具体的には履歴記憶機能は、監視制御サーバ装置ＭＳＶから制御情報ＣＩを取得し、運転支援サーバ装置ＢＳＶが備える記憶部（不図示）に記録する。
【００２９】
［メンテナンスサーバ装置について］
メンテナンスサーバ装置ＫＳＶとは、メンテナンス機能を有するサーバ装置である。
メンテナンス機能とは、変電所Ｔの設備ＥＱの設置状況に変更が生じた場合、複数のサーバ群１０において、変電所Ｔの設備ＥＱの設置状況を共有する機能である。変電所Ｔの設備ＥＱの設置状況の変更とは、例えば、設備ＥＱが撤去される場合や、設備ＥＱが新設されることである。また、メンテナンス機能とは、変電所Ｔの設備ＥＱの設置状況の変更に応じて、サーバ群１０が参照する設備ＥＱの情報（以下、設備情報ＥＩ）を更新する機能である。
【００３０】
［設備情報について］
以下、図を参照して設備情報ＥＩについて説明する。
図５は、第１実施形態の設備情報ＥＩの一例を示す表である。
図５に示す通り、この一例では、設備情報ＥＩは、設備識別情報ＥＩＤと、設備地域識別情報ＥＡＩと、付帯情報ＥＩＥとが関連付けられた情報である。設備識別情報ＥＩＤとは、集中監視制御システム１の監視制御対象の設備ＥＱ毎に付される情報であって、設備ＥＱを識別する情報である。設備地域識別情報ＥＡＩとは、当該設備地域識別情報ＥＡＩに関連付けられる設備識別情報ＥＩＤが示す設備ＥＱの管轄地域を示す情報である。具体的には、設備地域識別情報ＥＡＩには、設備識別情報ＥＩＤが示す設備ＥＱを備える変電所Ｔと既設ネットワークｅＮによって接続される制御所Ｃが示される。付帯情報ＥＩＥとは、当該付帯情報ＥＩＥに関連付けられる設備識別情報ＥＩＤが示す設備ＥＱに付帯する情報である。付帯情報ＥＩＥには、例えば、設備ＥＱが存在する変電所Ｔの名称、設備ＥＱの設備の種類（設備種別）、設備ＥＱの接続に関する情報（接続関係情報）等が含まれる。
図５に示す通り、この一例では、操作権限情報ＬＩには、変圧器Ａ１１（設備識別情報ＥＩＤ１）と、Ａ地域制御所ＣＡ（設備地域識別情報ＥＡＩ１）と、付帯情報ＥＩＥ１とが関連付けられた情報（設備情報ＥＩ１）と、断路器Ａ２１（設備識別情報ＥＩＤ２）と、Ａ地域制御所ＣＡ（設備地域識別情報ＥＡＩ１）と、付帯情報ＥＩＥ２とが関連付けられた情報（設備情報ＥＩ２）と、断路器Ａ２２（設備識別情報ＥＩＤ３）と、Ａ地域制御所ＣＡ（設備地域識別情報ＥＡＩ１）と、付帯情報ＥＩＥ３とが関連付けられた情報（設備情報ＥＩ３）と、断路器Ａ２３（設備識別情報ＥＩＤ４）と、Ｂ地域制御所ＣＢ（設備地域識別情報ＥＡＩ２）と、付帯情報ＥＩＥ４とが関連付けられた情報（設備情報ＥＩ４）とが含まれる。
ここで、図５に示す通り、付帯情報ＥＩＥ１は、変圧器Ａ１１（設備識別情報ＥＩＤ１）と、断路器Ａ２１（設備識別情報ＥＩＤ２）とが接続されることを示す。また、付帯情報ＥＩＥ２は、断路器Ａ２１（設備識別情報ＥＩＤ２）が始点設備であることを示す。始点設備とは、各設備ＥＱが接続される接続系の始点の設備である。付帯情報ＥＩＥ３は、断路器Ａ２２（設備識別情報ＥＩＤ３）と、変圧器Ａ１１（設備識別情報ＥＩＤ１）とが接続されることを示す。また、付帯情報ＥＩＥ４は、断路器Ａ２３（設備識別情報ＥＩＤ４）が始点設備であることを示す。設備情報ＥＩはＣＩＭモデル（Ｃｏｍｍｏｎ  Ｉｎｆｏｒｍａｔｉｏｎ  Ｍｏｄｅｌ：共通情報モデル）等の情報表現モデルによって示される。
【００３１】
［メンテナンス機能の詳細について］
以下、図６を参照して、本実施形態のメンテナンスサーバ装置ＫＳＶについて説明する。
図６は、第１実施形態のサーバ群１０が有する設備情報記憶部ＥＭの構成の一例を示す図である。
【００３２】
ここで、監視制御サーバ装置ＭＳＶ、及び系統盤サーバ装置ＣＳＶは、それぞれ設備情報記憶部ＥＭを備える。設備情報記憶部ＥＭとは、設備情報ＥＩを記憶する記憶部である。具体的には、図６に示す通り、監視制御サーバ装置ＭＳＶＡは、設備情報記憶部ＥＭ１を備える。また系統盤サーバ装置ＣＳＶＡは、設備情報記憶部ＥＭ２を備える。また、また、監視制御サーバ装置ＭＳＶＢは、設備情報記憶部ＥＭ３を備える。また、系統盤サーバ装置ＣＳＶＢは、設備情報記憶部ＥＭ４を備える。また、監視制御サーバ装置ＭＳＶＣは、設備情報記憶部ＥＭ５を備える。また、系統盤サーバ装置ＣＳＶＣは、設備情報記憶部ＥＭ６を備える。また、以降の説明において、設備情報記憶部ＥＭ１〜設備情報記憶部ＥＭ６を区別しない場合には、総称して設備情報記憶部ＥＭと記載する。
【００３３】
また、図６に示す通り、設備情報記憶部ＥＭには、常用設備情報記憶部ＩＵと、非常用設備情報記憶部ＩＦとが含まれる。常用設備情報記憶部ＩＵとは、監視制御サーバ装置ＭＳＶ、及び系統盤サーバ装置ＣＳＶが設備ＥＱから監視情報ＭＩの取得を行う際に参照する設備情報ＥＩを記憶する記憶部である。また、常用設備情報記憶部ＩＵとは、監視制御サーバ装置ＭＳＶが設備ＥＱに制御情報ＣＩを送信する際に参照する設備情報ＥＩを記憶する記憶部である。非常用設備情報記憶部ＩＦとは、設備ＥＱの設置状況に変更が生じた場合、変更後の設備ＥＱの設備情報ＥＩを記憶する記憶部である。以降の説明において、変更後の設備ＥＱの設備情報ＥＩを示す情報を更新設備情報ＣＥＩと記載する。したがって、非常用設備情報記憶部ＩＦとは、設備ＥＱの設置状況に変更が生じた場合、変更に基づく更新設備情報ＣＥＩを記憶する記憶部である。
【００３４】
監視制御サーバ装置ＭＳＶは、設備情報記憶部ＥＭのうち、常用設備情報記憶部ＩＵに記憶される設備情報ＥＩに基づいて、設備ＥＱから監視情報ＭＩを取得する。また、監視制御サーバ装置ＭＳＶは、設備ＥＱから取得した監視情報ＭＩを制御卓シンクライアントＳＣＴに送信する。また、監視制御サーバ装置ＭＳＶは、常用設備情報記憶部ＩＵに記憶される設備情報ＥＩに基づいて、設備ＥＱに制御情報ＣＩを送信する。また、系統盤サーバ装置ＣＳＶは、常用設備情報記憶部ＩＵに記憶される設備情報ＥＩに基づいて、設備ＥＱから監視情報ＭＩを取得する。また、系統盤サーバ装置ＣＳＶは、取得した監視情報ＭＩを系統盤ファットクライアントＦＣＴに送信する。
【００３５】
ここで、操作者ＯＰＴは、設備ＥＱの設置状況の変更に関する情報をメンテナンス卓シンクライアントＮＣＴに入力する。メンテナンス卓シンクライアントＮＣＴとは、メンテナンス操作送信機能を備え、メンテナンスサーバ装置ＫＳＶの制御に基づいて動作するクライアントである。メンテナンス卓シンクライアントＮＣＴとは、メンテナンス卓端末の一例である。この一例では、制御所Ｃ毎にメンテナンス卓シンクライアントＮＣＴが備えられる場合について説明する。
メンテナンス卓シンクライアントＮＣＴは、例えば、ハードディスク、キーボード、及びマウス等（不図示）を備える。メンテナンス卓シンクライアントＮＣＴは、メンテナンスＬＡＮを介してメンテナンスサーバ装置ＫＳＶに接続される。メンテナンスＬＡＮの詳細については、後述する。操作者ＯＰＴは、変電所Ｔの設備ＥＱの設置状況の変更に応じて設備情報ＥＩを更新する操作（以下、更新操作）をキーボード、及びマウスを用いてメンテナンス卓シンクライアントＮＣＴに入力する。メンテナンス操作送信機能は、入力された更新操作検出し、検出した更新操作を示す情報（以下、更新操作情報ＲＥＩ）をメンテナンスＬＡＮを介してメンテナンスサーバ装置ＫＳＶに送信する。更新操作情報ＲＥＩには、例えば、設備情報ＥＩと共に設備情報ＥＩの他に設備ＥＱの設置状況が変更される時期等に関する情報が含まれる。
【００３６】
ここで、メンテナンスサーバ装置ＫＳＶは、仮想計算機システムを備える。仮想計算機システムは、物理計算機システムのＣＰＵ（Ｃｅｎｔｒａｌ  Ｐｒｏｃｅｓｓｉｎｇ  Ｕｎｉｔ）などのコンピュータ資源を時間分割し、複数の仮想計算機システムへ割り当てられた処理の内、自システム（仮想計算機システム）に割り当てられた処理を独立して実行する。メンテナンスサーバ装置ＫＳＶは、仮想計算機システムによって構成されるメンテナンス仮想サーバシステム、及びメンテナンス仮想ＨＭＩサーバシステムを備える。メンテナンス仮想ＨＭＩサーバシステムは、メンテナンスインターフェース機能を有する。メンテナンス仮想サーバシステムは、メンテナンス機能を有する。換言すると、メンテナンスサーバ装置ＫＳＶは、メンテナンスインターフェース機能と、メンテナンス機能とを有する。
【００３７】
メンテナンスインターフェース機能は、メンテナンス卓シンクライアントＮＣＴからメンテナンスＬＡＮを介して更新操作情報ＲＥＩを受信する。また、メンテナンスインターフェース機能は、受信した更新操作情報ＲＥＩをメンテナンス仮想サーバシステムのメンテナンス機能に供給する。
【００３８】
メンテナンス機能は、各制御所Ｃの操作者ＯＰＴの更新操作を示す更新操作情報ＲＥＩを、メンテナンスインターフェース機能から取得する。メンテナンス機能は、受信した更新操作情報ＲＥＩに基づいて、当該更新操作情報ＲＥＩに示される設備ＥＱの設置状況の変更が可能であるか否かを判定する。例えば、更新操作情報ＲＥＩに示される設備ＥＱの設置状況の変更が、同一の設備ＥＱに対する変更や、既に撤去された設備ＥＱに対する変更である場合がある。この場合、メンテナンス機能は、当該更新操作情報ＲＥＩを設備情報ＥＩに反映しない。メンテナンス機能は、設備ＥＱの設置状況の変更が可能であると判定する場合、当該更新操作情報ＲＥＩに基づいて、設備情報ＥＩを更新した更新設備情報ＣＥＩを生成する。メンテナンス機能は、生成した更新設備情報ＣＥＩをメンテナンスインターフェース機能に供給する。
【００３９】
ここで、監視制御サーバ装置ＭＳＶ、及び系統盤サーバ装置ＣＳＶは、メンテナンスＬＡＮに接続される。メンテナンスインターフェース機能は、メンテナンス機能から取得した更新設備情報ＣＥＩをメンテナンスＬＡＮを介して各サーバ拠点Ｓが備える監視制御サーバ装置ＭＳＶ、及び系統盤サーバ装置ＣＳＶに送信する。換言すると、メンテナンス機能は、監視制御サーバ装置ＭＳＶ、及び系統盤サーバ装置ＣＳＶの非常用設備情報記憶部ＩＦに更新設備情報ＣＥＩを送信する。
【００４０】
監視制御サーバ装置ＭＳＶ、及び系統盤サーバ装置ＣＳＶは、受信した更新設備情報ＣＥＩを非常用設備情報記憶部ＩＦに記憶させる。また、メンテナンス機能は、非常用設備情報記憶部ＩＦに更新設備情報ＣＥＩの記憶（更新）が完了したことに応じて、監視制御サーバ装置ＭＳＶ、及び系統盤サーバ装置ＣＳＶにＤＢ切替開始情報をメンテナンスインターフェース機能を介して送信する。ＤＢ切替開始情報とは、設備情報記憶部ＥＭのうち、常用として動作している常用設備情報記憶部ＩＵと、待機として動作している非常用設備情報記憶部ＩＦとを切替える（入替える）指示を示す情報である。監視制御サーバ装置ＭＳＶ、及び系統盤サーバ装置ＣＳＶは、ＤＢ切替開始情報を受信したことに応じて、常用設備情報記憶部ＩＵと、非常用設備情報記憶部ＩＦとの動作を切替える。常用設備情報記憶部ＩＵと、非常用設備情報記憶部ＩＦとの動作を切替えるとは、切替前に非常用設備情報記憶部ＩＦとして動作している設備情報記憶部ＥＭを、切替え後に常用設備情報記憶部ＩＵとして動作させ、かつ切替前に常用設備情報記憶部ＩＵとして動作している設備情報記憶部ＥＭを、切替え後に非常用設備情報記憶部ＩＦとして動作させることである。
これにより、非常用設備情報記憶部ＩＦに記憶される更新設備情報ＣＥＩは、切替え後には常用設備情報記憶部ＩＵに記憶される設備情報ＥＩとして参照される。つまり、監視制御サーバ装置ＭＳＶは、切替え前に非常用設備情報記憶部ＩＦに記憶される更新設備情報ＣＥＩを、切替え後には設備情報ＥＩとして参照し、設備ＥＱから監視情報ＭＩを取得する。また、系統盤サーバ装置ＣＳＶは、切替え前に非常用設備情報記憶部ＩＦに記憶される更新設備情報ＣＥＩを、切替え後には設備情報ＥＩとして参照し、設備ＥＱから監視情報ＭＩを取得する。
【００４１】
なお、上述では、メンテナンス機能は、非常用設備情報記憶部ＩＦに更新設備情報ＣＥＩの記憶（更新）が完了したことに応じて、監視制御サーバ装置ＭＳＶ、及び系統盤サーバ装置ＣＳＶにＤＢ切替開始情報を送信する場合について説明したが、これに限られない。ＤＢ切替開始情報は、操作者ＯＰＴの操作に応じて送信されてもよい。この場合、監視制御サーバ装置ＭＳＶ、及び系統盤サーバ装置ＣＳＶは、非常用設備情報記憶部ＩＦに更新設備情報ＣＥＩの記憶が完了した場合であって、かつ操作者ＯＰＴの操作に応じて送信されたＤＢ切替開始情報を受信した場合に、常用設備情報記憶部ＩＵと、非常用設備情報記憶部ＩＦとの動作を切替える。
【００４２】
また、本実施形態の集中監視制御システム１において、設備情報記憶部ＥＭは、それぞれ常用設備情報記憶部（本実施形態の一例では、常用設備情報記憶部ＩＵ）と非常用設備情報記憶部（本実施形態の一例では、非常用設備情報記憶部ＩＦ）とを有する。
メンテナンス仮想サーバシステムは、サーバ拠点Ｓが有するサーバ装置のうち、待機動作するサーバ装置の非常用設備情報記憶部ＩＦに更新設備情報ＣＥＩを送信する。サーバー装置の待機動作については、後述する。
【００４３】
［メンテナンス機能の動作について］
以下、図を参照してメンテナンス機能の動作の詳細について説明する。
図７は、第１実施形態のメンテナンスサーバ装置ＫＳＶの動作の一例を示す流れ図である。
メンテナンスサーバ装置ＫＳＶ（メンテナンス仮想ＨＭＩサーバシステム）が有するメンテナンスインターフェース機能は、各制御所Ｃが備えるメンテナンス卓シンクライアントＮＣＴから更新操作情報ＲＥＩを取得する（ステップＳ５１０）。メンテナンスインターフェース機能は、取得した更新操作情報ＲＥＩを、メンテナンスサーバ装置ＫＳＶ（メンテナンス仮想サーバシステム）が有するメンテナンス機能に供給する（ステップＳ５２０）。メンテナンス機能は、メンテナンスインターフェース機能から更新操作情報ＲＥＩを取得する（ステップＳ５３０）。メンテナンス機能は、取得した更新操作情報ＲＥＩに基づいて、更新設備情報ＣＥＩを生成する（ステップＳ５４０）。メンテナンス機能は、生成した更新設備情報ＣＥＩを監視制御サーバ装置ＭＳＶ、及び系統盤サーバ装置ＣＳＶに供給する（ステップＳ５７０）。監視制御サーバ装置ＭＳＶは、取得した更新設備情報ＣＥＩを当該監視制御サーバ装置ＭＳＶが備える設備情報記憶部ＥＭ（非常用設備情報記憶部ＩＦ）に記憶させる（ステップＳ５８０）。系統盤サーバ装置ＣＳＶは、取得した更新設備情報ＣＥＩを当該系統盤サーバ装置ＣＳＶが備える設備情報記憶部ＥＭ（非常用設備情報記憶部ＩＦ）に記憶させる（ステップＳ５９０）。
メンテナンス機能は、監視制御サーバ装置ＭＳＶ、及び系統盤サーバ装置ＣＳＶに更新設備情報ＣＥＩを記憶させた後、ＤＢ切替開始情報をメンテナンスインターフェース機能に供給する（ステップＳ６００）。メンテナンスインターフェース機能は、メンテナンス機能からＤＢ切替開始情報を取得する（ステップＳ６１０）。メンテナンスインターフェース機能は、取得したＤＢ切替開始情報を待機動作の監視制御サーバ装置ＭＳＶ、及び待機動作の系統盤サーバ装置ＣＳＶに送信する（ステップＳ６２０）。メンテナンスインターフェース機能は、例えば、監視制御サーバ装置ＭＳＶ、及び系統盤サーバ装置ＣＳＶの動作状態を示す情報をメンテナンスＬＡＮを介して取得する。また、メンテナンスインターフェース機能は、取得した監視制御サーバ装置ＭＳＶ及び系統盤サーバ装置ＣＳＶの動作状態を示す情報に基づいて、待機動作のサーバ装置にＤＢ切替開始情報を送信する。監視制御サーバ装置ＭＳＶは、ＤＢ切替開始情報を受信することに応じて、設備情報記憶部ＥＭの動作が切替えられる（ステップＳ６３０）。具体的には、監視制御サーバ装置ＭＳＶが備える設備情報記憶部ＥＭは、ＤＢ切替開始情報を受信することに応じて、常用設備情報記憶部ＩＵと、非常用設備情報記憶部ＩＦとの動作が切替えられる。また系統盤サーバ装置ＣＳＶは、ＤＢ切替開始情報を受信することに応じて、設備情報記憶部ＥＭの動作が切替えられる。（ステップＳ６４０）。具体的には、系統盤サーバ装置ＣＳＶが備える設備情報記憶部ＥＭは、ＤＢ切替開始情報を受信することに応じて、常用設備情報記憶部ＩＵと、非常用設備情報記憶部ＩＦとの動作が切替えられる。これにより、集中監視制御システム１が備える複数の監視制御サーバ装置ＭＳＶ及び複数の系統盤サーバ装置ＣＳＶにおいて、設備情報ＥＩが等価される。
【００４４】
本実施形態の集中監視制御システム１は、メンテナンス機能によって各サーバ拠点Ｓのサーバ群１０が参照する設備ＥＱの設備情報を等価する。本実施形態において１台の監視制御サーバ装置が常用として動作し残りの２台が待機として動作するが、このように常に３台の監視制御サーバ装置の設備情報を等価しておくことで、３つのサーバ拠点Ｓのいずれかを常用と変更しても設備ＥＱを監視制御することができる。
制御所Ｃごとに監視制御システムを配置それぞれが設備情報記憶部を有する構成に比べ、本実施形態の集中監視制御システム１によれば、設備情報記憶部を構成する装置の数を低減することができるため、設備情報ＥＩを記憶する装置に係る設備費と運用費を低減することができる。
また、本実施形態の集中監視制御システム１によれば、メンテナンスサーバ装置ＫＳＶがメンテナンスＬＡＮを介して各監視制御サーバ装置ＭＳＶ及び各系統盤サーバ装置ＣＳＶの設備情報ＥＩを更新する。これにより、本実施形態の集中監視制御システム１は、設備情報ＥＩを更新する装置を制御所Ｃ毎に備える場合と比較して、更新する装置の数を低減することができるため、設備情報ＥＩを更新する装置に係る設備費と運用費を低減することができる。
【００４５】
［サーバ間同期について］
ここで、集中監視制御システム１は、３つのサーバ拠点Ｓによって監視制御対象の変電所Ｔ（設備ＥＱ）を監視制御可能に構成される。３つのサーバ拠点Ｓの監視制御サーバ装置ＭＳＶのいずれもが、集中監視制御システム１の設備ＥＱの監視制御を可能とするためには、監視制御対象の設備ＥＱの設備情報ＥＩをメンテナンス機能、及びメンテナンスインターフェース機能によって同期（等価）することに加えて、監視情報ＭＩについても、情報を同期（等価）することが好ましい。この一例では、平常時には監視制御サーバ装置ＭＳＶＡが常用の装置として動作（以下、常用動作）し、監視制御サーバ装置ＭＳＶＢ、及び監視制御サーバ装置ＭＳＶＣが待機の装置として動作（以下、待機動作）する場合について説明する。
常用動作する監視制御サーバ装置ＭＳＶ（この一例では、監視制御サーバ装置ＭＳＶＡ）が有する監視制御機能は、待機動作する監視制御サーバ装置ＭＳＶ（この一例では、監視制御サーバ装置ＭＳＶＢ、及び監視制御サーバ装置ＭＳＶＣ）に監視情報ＭＩを送信する。監視制御サーバ装置ＭＳＶＢ、及び監視制御サーバ装置ＭＳＶＣは、監視制御サーバ装置ＭＳＶＡから監視情報ＭＩを受信し、当該監視情報ＭＩを記憶部（不図示）に記憶する。これにより、集中監視制御システム１は、監視制御機能によって各サーバ拠点Ｓが備える監視制御サーバ装置ＭＳＶの監視情報ＭＩを同期する。
また、監視制御サーバ装置ＭＳＶは、状態監視機能を有する。状態監視機能とは、自装置（監視制御サーバ装置ＭＳＶ）と、他の監視制御サーバ装置ＭＳＶとの通信障害を検知する機能である。この一例では、状態監視機能は、広域ネットワークｈＮに通信障害が発生しているが否かを検出する機能である。ここで、状態監視機能が通信障害を検知した場合であって、かつ当該検知した監視制御サーバ装置ＭＳＶの動作モードが待機動作である場合がある。この場合、状態監視機能は、当該監視制御サーバ装置ＭＳＶの動作モードを常用動作に遷移させる。つまり、広域ネットワークｈＮに通信障害が発生しており、各監視制御サーバ装置ＭＳＶの機能が喪失していない場合、集中監視制御システム１が備える監視制御サーバ装置ＭＳＶの動作モードは、いずれも常用動作である。監視制御サーバ装置ＭＳＶの機能が喪失するとは、サーバ装置故障等によって、監視制御サーバ装置ＭＳＶが監視制御対象の設備ＥＱの監視と制御とのうち、少なくとも一方の動作が行えない状態である。
また、状態監視機能とは、常用動作の監視制御サーバ装置ＭＳＶの機能が喪失しているか否かを検知する機能である。ここで、待機動作の監視制御サーバ装置ＭＳＶが有する状態監視機能が、常用動作の監視制御サーバ装置ＭＳＶの機能が喪失していることを検知する場合がある。この場合、常用動作の監視制御サーバ装置ＭＳＶの機能が喪失したことを検知したことに応じて、待機動作の監視制御サーバ装置ＭＳＶのうち、ある１つの監視制御サーバ装置ＭＳＶの動作モードが、常用動作に遷移される。
【００４６】
監視制御サーバ装置ＭＳＶには、起動時の動作モードが予め設定される。以降の説明において、起動時の動作モードの設定を初期設定と記載する。この一例では、監視制御サーバ装置ＭＳＶＡ、監視制御サーバ装置ＭＳＶＢ及び監視制御サーバ装置ＭＳＶＣのそれぞれには、監視制御サーバ装置ＭＳＶＡが常用動作し、監視制御サーバ装置ＭＳＶＢ及び監視制御サーバ装置ＭＳＶＣが待機動作する初期設定が予め設定される。監視制御サーバ装置ＭＳＶＡ、監視制御サーバ装置ＭＳＶＢ及び監視制御サーバ装置ＭＳＶＣは、自装置が起動した際や再起動された際等に、初期設定に基づいて動作モードが選択され、動作する。
また、監視制御サーバ装置ＭＳＶには、監視制御サーバ装置ＭＳＶ毎に予め優先順位が付される。この一例では、監視制御サーバ装置ＭＳＶＡは、監視制御サーバ装置ＭＳＶＢより優先順位が高い。また、監視制御サーバ装置ＭＳＶＢは、監視制御サーバ装置ＭＳＶＣより優先順位が高い。状態監視機能は、監視制御サーバ装置ＭＳＶの機能が喪失していない監視制御サーバ装置ＭＳＶのうち、優先順位が高い監視制御サーバ装置ＭＳＶの動作モードを常用動作に遷移させる。したがって、監視制御サーバ装置ＭＳＶＡの機能が喪失した場合、監視制御サーバ装置ＭＳＶＢが常用動作し、監視制御サーバ装置ＭＳＶＣが待機動作する。また、監視制御サーバ装置ＭＳＶＡ、及び監視制御サーバ装置ＭＳＶＢの機能が喪失した場合、監視制御サーバ装置ＭＳＶＣが常用動作する。
【００４７】
［サーバ間同期の動作について：常用サーバの動作停止］
以下、図を参照して集中監視制御システム１の監視情報ＭＩの同期について説明する。
図８は、第１実施形態の監視制御サーバ装置ＭＳＶの動作の一例を示す第１の流れ図である。
監視制御サーバ装置ＭＳＶは、常時又は所定の時間毎に自装置が常用動作であるか待機動作であるかを判定する（ステップＳ７１０）。監視制御サーバ装置ＭＳＶは、自装置が常用動作であると判定する場合（ステップＳ７１０；ＹＥＳ）、他の監視制御サーバ装置ＭＳＶであって、待機動作する監視制御サーバ装置ＭＳＶに監視情報ＭＩを送信する（ステップＳ７２０）。監視制御サーバ装置ＭＳＶは、自装置が待機動作であると判定する場合（ステップＳ７１０；ＮＯ）、自装置よりひとつ優先順位の高い監視制御サーバ装置ＭＳＶの動作が常用動作から停止に変化したか否かを検知する（ステップＳ７３０）。待機動作の監視制御サーバ装置ＭＳＶは、自装置よりひとつ優先順位の高い監視制御サーバ装置ＭＳＶの常用動作から停止に変化したことを検知していない場合（ステップＳ７３０；ＮＯ）、処理をステップＳ７１０に進める。また、待機動作の監視制御サーバ装置ＭＳＶは、自装置よりひとつ優先順位の高い監視制御サーバ装置ＭＳＶの動作が常用動作から停止に変化したことを検知した場合（ステップＳ７３０；ＹＥＳ）、待機動作から常用動作に動作モードを遷移する（ステップＳ７４０）。
【００４８】
［サーバ間同期の動作について：通信障害発生］
以下、図を参照して集中監視制御システム１の監視情報ＭＩの同期について説明する。
図９は、第１実施形態の監視制御サーバ装置ＭＳＶの動作の一例を示す第２の流れ図である。
監視制御サーバ装置ＭＳＶは、常時又は所定の時間毎に自装置が常用動作であるか待機動作であるかを判定する（ステップＳ４１０）。監視制御サーバ装置ＭＳＶは、自装置が常用動作であると判定する場合（ステップＳ４１０；ＹＥＳ）、他の監視制御サーバ装置ＭＳＶであって、待機動作する監視制御サーバ装置ＭＳＶに監視情報ＭＩを送信する（ステップＳ４２０）。監視制御サーバ装置ＭＳＶは、自装置が待機動作であると判定する場合（ステップＳ４１０；ＮＯ）、通信障害が発生しているか否かを検知する（ステップＳ４３０）。待機動作の監視制御サーバ装置ＭＳＶは、ネットワーク（この一例では、広域ネットワークｈＮ）に通信障害が発生していることを検知しない場合（ステップＳ４３０；ＮＯ）、処理をステップＳ７１０に進める。また、待機動作の監視制御サーバ装置ＭＳＶは、広域ネットワークｈＮに通信障害が発生していることを検知する場合（ステップＳ４３０；ＹＥＳ）、待機動作から常用動作に動作モードを遷移する（ステップＳ４４０）。
【００４９】
なお、常用動作の監視制御サーバ装置ＭＳＶは、待機動作の監視制御サーバ装置ＭＳＶすべてに監視情報ＭＩを送信する構成に代えて、待機動作の監視制御サーバ装置ＭＳＶのうち、少なくとも一部の監視制御サーバ装置ＭＳＶに監視情報ＭＩを送信する構成であってもよい。待機動作の監視制御サーバ装置ＭＳＶのうち、少なくとも一部の監視制御サーバ装置ＭＳＶとは、例えば、常用動作の監視制御サーバ装置ＭＳＶを備える制御所Ｃに隣接する制御所Ｃが備える監視制御サーバ装置ＭＳＶである。
【００５０】
なお、系統盤サーバ装置ＣＳＶについても監視制御サーバ装置ＭＳＶと同様に、常用動作及び待機動作する構成を備えていてもよい。つまり、３つのサーバ拠点Ｓの系統盤サーバ装置ＣＳＶのいずれもが、集中監視制御システム１の設備ＥＱの監視を可能とするためには、監視対象の設備ＥＱの設備情報ＥＩをメンテナンス機能、及びメンテナンスインターフェース機能によって同期（等価）することに加えて、監視情報ＭＩについても、情報を同期（等価）することが好ましい。この一例では、平常時には系統盤サーバ装置ＣＳＶＡが常用動作し、系統盤サーバ装置ＣＳＶＢ、及び系統盤サーバ装置ＣＳＶＣが待機動作する場合について説明する。
常用動作する系統盤サーバ装置ＣＳＶ（この一例では、系統盤サーバ装置ＣＳＶＡ）が有する系統盤表示機能は、待機動作する系統盤サーバ装置ＣＳＶ（この一例では、系統盤サーバ装置ＣＳＶＢ、及び系統盤サーバ装置ＣＳＶＣ）に監視情報ＭＩを送信する。系統盤サーバ装置ＣＳＶＢ、及び系統盤サーバ装置ＣＳＶＣは、系統盤サーバ装置ＣＳＶＡから監視情報ＭＩを受信し、当該監視情報ＭＩを記憶部（不図示）に記憶する。これにより、集中監視制御システム１は、系統盤表示機能によって各サーバ拠点Ｓが備える系統盤サーバ装置ＣＳＶの監視情報ＭＩを同期する。
また、系統盤サーバ装置ＣＳＶは、状態監視機能を有する。状態監視機能とは、自装置（系統盤サーバ装置ＣＳＶ）と、他の系統盤サーバ装置ＣＳＶとの通信障害を検知する機能である。この一例では、状態監視機能は、広域ネットワークｈＮに通信障害が発生しているが否かを検出する機能である。ここで、状態監視機能が通信障害を検知した場合であって、かつ当該検知した系統盤サーバ装置ＣＳＶの動作モードが待機動作である場合がある。この場合、状態監視機能は、当該系統盤サーバ装置ＣＳＶの動作モードを常用動作に遷移させる。つまり、広域ネットワークｈＮに通信障害が発生しており、各系統盤サーバ装置ＣＳＶの機能が喪失していない場合、集中監視制御システム１が備える系統盤サーバ装置ＣＳＶの動作モードは、いずれも常用動作である。系統盤サーバ装置ＣＳＶの機能が喪失するとは、サーバ装置故障等によって、系統盤サーバ装置ＣＳＶが監視対象の設備ＥＱの監視が行えない状態である。
また、状態監視機能とは、常用動作の系統盤サーバ装置ＣＳＶの機能が喪失しているか否かを検知する機能である。ここで、待機動作の系統盤サーバ装置ＣＳＶが有する状態監視機能が、常用動作の系統盤サーバ装置ＣＳＶの機能が喪失していることを検知する場合がある。この場合、常用動作の系統盤サーバ装置ＣＳＶの機能が喪失したことを検知したことに応じて、待機動作の系統盤サーバ装置ＣＳＶのうち、ある１つの系統盤サーバ装置ＣＳＶの動作モードが、常用動作に遷移される。
【００５１】
また、集中監視制御システム１が備える系統盤サーバ装置ＣＳＶについても、監視制御サーバ装置ＭＳＶと同様に、予め初期設定が設定されていてもよい。この一例では、系統盤サーバ装置ＣＳＶＡ、系統盤サーバ装置ＣＳＶＢ及び系統盤サーバ装置ＣＳＶＣのそれぞれには、系統盤サーバ装置ＣＳＶＡが常用動作し、系統盤サーバ装置ＣＳＶＢ及び系統盤サーバ装置ＣＳＶＣが待機動作する初期設定が予め設定される。系統盤サーバ装置ＣＳＶＡ、系統盤サーバ装置ＣＳＶＢ及び系統盤サーバ装置ＣＳＶＣは、自装置が起動した際や再起動された際等に、初期設定に基づいて動作モードが選択され、動作する。
また、系統盤サーバ装置ＣＳＶには、系統盤サーバ装置ＣＳＶ毎に予め優先度が付されていてもよい。この一例では、系統盤サーバ装置ＣＳＶＡは、系統盤サーバ装置ＣＳＶＢより優先順位が高い。また、系統盤サーバ装置ＣＳＶＢは、系統盤サーバ装置ＣＳＶＣより優先順位が高い。状態監視機能は、系統盤サーバ装置ＣＳＶの機能が喪失していない系統盤サーバ装置ＣＳＶのうち、優先順位が高い系統盤サーバ装置ＣＳＶの動作モードを常用動作に遷移させる。したがって、系統盤サーバ装置ＣＳＶＡの機能が喪失した場合、系統盤サーバ装置ＣＳＶＢが常用動作し、系統盤サーバ装置ＣＳＶＣが待機動作する。また、系統盤サーバ装置ＣＳＶＡ、及び系統盤サーバ装置ＣＳＶＢの機能が喪失した場合、系統盤サーバ装置ＣＳＶＣが常用動作する。
【００５２】
本実施形態の集中監視制御システム１によれば、監視制御機能は、集中監視制御システム１が備える監視制御サーバ装置ＭＳＶの監視情報ＭＩを同期（等価）する。
これにより、本実施形態の集中監視制御システム１は、各サーバ拠点Ｓが備える監視制御サーバ装置ＭＳＶのうち、いずれかに不具合が生じた場合であっても、常用動作、及び待機動作を遷移させることによって、設備ＥＱを監視制御する。
したがって、本実施形態の集中監視制御システム１によれば、ネットワーク障害やサーバ障害が生じた場合であっても、監視制御サーバ装置ＭＳＶの常用動作、及び待機動作を切替えることによって迅速に障害を復旧することができる。
また、本実施形態の集中監視制御システム１によれば、監視制御サーバ装置ＭＳＶの常用動作、及び待機動作が自動に切替えられることにより、システム管理者が手動設定によって動作を切替える手間を低減することができる。つまり、本実施形態の集中監視制御システム１によれば、管轄地域毎に設置されていた監視制御システムを管轄地域の数より少ない数の監視制御サーバ装置ＭＳＶへ集約し、監視制御システムの設置場所（管轄地域）に依存せず設備ＥＱの監視制御を行うことができる。これにより、可用性の高い集中監視制御システム１を実現することができる。
【００５３】
また、本実施形態の集中監視制御システム１は、監視制御サーバ装置ＭＳＶが待機の時に常用設備情報記憶部ＩＵと非常用設備情報記憶部ＩＦとの切替を行う。例えば、監視制御サーバ装置ＭＳＶが常用の時に切替が行われると、動作の基準である設備情報ＥＩが常用の時に変更され、この場合、監視制御サーバ装置ＭＳＶと設備ＥＱとの情報の送受信が正常に行われない場合がある。
本実施形態の集中監視制御システム１は、監視制御サーバ装置ＭＳＶが待機の時に常用設備情報記憶部ＩＵと非常用設備情報記憶部ＩＦとの切替を行う。したがって、常用動作の監視制御サーバ装置ＭＳＶと設備ＥＱとの情報の送受信が行われている際には設備情報ＥＩが変更されない。これにより、本実施形態の集中監視制御システム１は、送受信先が不定となることに伴い、サーバ装置と設備ＥＱとの情報の送受信が正常に行われなくなることを抑制することができる。
【００５４】
また、本実施形態の集中監視制御システム１の監視制御サーバ装置ＭＳＶは、電力設備情報（この一例では、設備情報ＥＩ）を記憶するデータベース（この一例では、設備情報記憶部ＥＭ）を備える。したがって、本実施形態の集中監視制御システム１によれば、電力設備情報を記憶するデータベースを監視制御システム毎に配置することに伴う経費を低減することができる。
【００５５】
［広域ネットワークの構成について］
次に、図１０、及び図１１を参照して、サーバ拠点Ｓと制御所Ｃと変電所Ｔとを接続するネットワークＮのより具体的な構成について説明する。
図１０は、第１実施形態の広域ネットワークｈＮの具体的な構成の一例を示す図である。
図１０に示す通り、広域ネットワークｈＮには、システムＬＡＮ、ＴＣ−ＬＡＮ、及びＨＭＩ−ＬＡＮが仮想的なネットワークとして構成される。仮想的なネットワークとは、例えば、ＶＬＡＮ（Ｖｉｒｔｕａｌ  Ｌｏｃａｌ  Ａｒｅａ  Ｎｅｔｗｏｒｋ）である。
この広域ネットワークｈＮ上ではＩＰ（Ｉｎｔｅｒｎｅｔ  Ｐｒｏｔｏｃｏｌ）伝送方式にてデータを送受する。
また、システムＬＡＮ、ＴＣ−ＬＡＮ、及びＨＭＩ−ＬＡＮは、それぞれ１系と、２系とを含む多重通信によって構成される。
広域ネットワークｈＮは、システムＬＡＮ、ＴＣ−ＬＡＮ、及びＨＭＩ−ＬＡＮの１系の通信を提供する広域第１通信線ｈ１Ｒと、システムＬＡＮ、ＴＣ−ＬＡＮ、及びＨＭＩ−ＬＡＮの２系の通信を提供する広域第２通信回線ｈ２Ｒとによって構成される。また、広域第１通信線ｈ１Ｒと、広域第２通信回線ｈ２Ｒとは、通信線がリング状に構成された多重リング通信系統である。
また、広域第２通信回線ｈ２Ｒには、更にメンテナンスＬＡＮが仮想的なネットワークとして構成される。
また、本実施形態において集中監視制御システム１は、バックアップネットワークｂＮを有する。バックアップネットワークｂＮは、ＴＣ−ＬＡＮ２系のバックアップ通信を行うＴＣ−ＬＡＮＢ系と、ＨＭＩ−ＬＡＮの２系バックアップ通信を行うＨＭＩ−ＬＡＮＢ系を提供するマイクロ波通信ネットワーク系統である。
【００５６】
システムＬＡＮは、１系、及び２系がサーバ群１０に接続される。具体的には、監視制御サーバ装置ＭＳＶ、系統盤サーバ装置ＣＳＶ、システム監視サーバ装置ＳＳＶ、及びＨＭＩサーバ装置ＲＳＶは、システムＬＡＮによって接続される。また、代表のサーバ拠点Ｓであるサーバ拠点ＳＡが有するメンテナンスサーバ装置ＫＳＶ、運転支援サーバ装置ＢＳＶ、及び操作権限記憶サーバ装置ＡＳＶは、システムＬＡＮに接続される。
システムＬＡＮは、サーバ群１０のサーバ装置間の情報の送受信に関する通信を行うネットワークである。
具体的には、監視制御サーバ装置ＭＳＶは、システムＬＡＮを介して監視情報ＭＩをＨＭＩサーバ装置ＲＳＶへ送信する。また、監視制御サーバ装置ＭＳＶは、システムＬＡＮを介してＨＭＩサーバ装置ＲＳＶから制御情報ＣＩを取得する。
また、系統盤サーバ装置ＣＳＶは、システムＬＡＮを介して監視情報ＭＩを系統盤ファットクライアントＦＣＴに送信する。
【００５７】
ＴＣ−ＬＡＮは、１系、及び２系が監視制御サーバ装置ＭＳＶと、系統盤サーバ装置ＣＳＶとシステム監視サーバ装置ＳＳＶと、設備ＥＱとに接続される。ＴＣ−ＬＡＮは、設備ＥＱとサーバ群１０との情報の送受信に関する通信を行うネットワークである。
具体的には、監視制御サーバ装置ＭＳＶは、ＴＣ−ＬＡＮを介して設備ＥＱから監視情報ＭＩを取得する。また、監視制御サーバ装置ＭＳＶは、ＴＣ−ＬＡＮを介して設備ＥＱに制御情報ＣＩを送信する。系統盤サーバ装置ＣＳＶは、ＴＣ−ＬＡＮを介して設備ＥＱから監視情報ＭＩを取得する。
【００５８】
ＨＭＩ−ＬＡＮは、１系、及び２系がＨＭＩサーバ装置ＲＳＶに接続される。ＨＭＩ−ＬＡＮは、ＨＭＩサーバ装置ＲＳＶと制御所Ｃとの情報の送受信に関する通信を行うネットワークである。
具体的には、ＨＭＩサーバ装置ＲＳＶはＨＭＩ−ＬＡＮを介して、ＨＭＩサーバ装置ＲＳＶが生成した画像情報ＧＩを制御卓シンクライアントＳＣＴへ送信する。また、ＨＭＩサーバ装置ＲＳＶは、制御所Ｃが備える制御卓シンクライアントＳＣＴからＨＭＩ−ＬＡＮを介して受信した制御情報ＣＩを受信し、受信した制御情報ＣＩをシステムＬＡＮを介して監視制御サーバ装置ＭＳＶに送信する。
また、図１０に示す通り、サーバ拠点ＳＡにおいて、ＴＣ−ＬＡＮ２系は、ＴＣ−ＬＡＮＢ系に接続され、ＨＭＩ−ＬＡＮ２系は、ＨＭＩ−ＬＡＮＢ系に接続される。
【００５９】
［既設ネットワークの構成について］
図１１は、第１実施形態の既設ネットワークｅＮの具体的な構成の一例を示す図である。
上述したように、広域ネットワークｈＮと既設ネットワークｅＮとは、カスケード接続される。したがって、既設ネットワークｅＮには、広域ネットワークｈＮとカスケード接続されたシステムＬＡＮ、ＴＣ−ＬＡＮ、及びＨＭＩ−ＬＡＮが仮想的なネットワークとして構成される。
既設ネットワークｅＮは、システムＬＡＮ、ＴＣ−ＬＡＮ、及びＨＭＩ−ＬＡＮの１系の通信を提供する既設第１通信線ｅ１Ｒと、システムＬＡＮ、ＴＣ−ＬＡＮ、及びＨＭＩ−ＬＡＮの２系の通信を提供する既設第２通信回線ｅ２Ｒとによって構成される。また、既設第１通信線ｅ１Ｒと、既設第２通信回線ｅ２Ｒとは、通信線がリング状に構成された多重リング通信系統である。
また、既設第２通信回線ｅ２Ｒには、更にメンテナンスＬＡＮが仮想的なネットワークとして構成される。
本実施形態において、ＨＭＩ−ＬＡＮとは、第１ネットワークの一例である。また、システムＬＡＮとは、第２ネットワークの一例である。また、ＴＣ−ＬＡＮとは、第３ネットワークの一例である。また、メンテナンスＬＡＮとは、第４ネットワークの一例である。
【００６０】
システムＬＡＮは、１系、及び２系が制御所Ｃが有する系統盤ファットクライアントＦＣＴに接続される。系統盤ファットクライアントＦＣＴは、システムＬＡＮを介して監視情報ＭＩを受信する。
ＨＭＩ−ＬＡＮは、１系、及び２系が制御所Ｃが有する制御卓シンクライアントＳＣＴに接続される。制御卓シンクライアントＳＣＴは、ＨＭＩサーバ装置ＲＳＶが生成した画像情報ＧＩをＨＭＩ−ＬＡＮを介して受信する。また、制御卓シンクライアントＳＣＴは、ＨＭＩ−ＬＡＮを介して制御情報ＣＩを送信する。
ＴＣ−ＬＡＮは、１系、及び２系が変電所Ｔあるいは制御所Ｃが有する通信変換装置ＩＣＥに接続される。通信変換装置ＩＣＥとは、サーバ群１０に含まれるサーバ装置から設備ＥＱへの通信を設備ＥＱの通信方式に合わせて変換する装置である。また、通信変換装置ＩＣＥとは、設備ＥＱからサーバ群１０に含まれるサーバ装置への通信をサーバ装置の通信方式に合わせて変換する装置である。
また、制御所ＣにおいてＴＣ−ＬＡＮ２系はＴＣ−ＬＡＮＢ系にＨＭＩ−ＬＡＮ２系はＨＭＩ−ＬＡＮＢ系に接続され、保守箇所ＭにおいてＨＭＩ−ＬＡＮ２系はＨＭＩ−ＬＡＮＢ系に接続され、変電所ＴにおいてＴＣ−ＬＡＮ２系はＴＣ−ＬＡＮＢ系に接続される。
【００６１】
なお、上述では、メンテナンスＬＡＮが広域第２通信回線ｈ２Ｒ、及び既設第２通信回線ｅ２Ｒに含まれる場合について説明したが、これに限られない。メンテナンスＬＡＮは、広域第１通信線ｈ１Ｒ、及び広域第２通信回線ｈ２Ｒのうち、少なくとも一方に含まれる構成であってもよい。また、メンテナンスＬＡＮは、既設第１通信線ｅ１Ｒ、及び既設第２通信回線ｅ２Ｒのうち、少なくとも一方に含まれる構成であってもよい。
【００６２】
［集中監視制御システムの動作について］
以下、図１２、図１３、及び図１４を参照して集中監視制御システム１の具体的な動作について説明する。
【００６３】
＜監視端末表示部に画像を表示する場合について＞
図１２は、第１実施形態の集中監視制御システム１の動作の一例を示す第１の流れ図である。具体的には、図１２は、操作者ＯＰＴの認証情報ＢＩに基づいて、制御卓シンクライアントＳＣＴが備える監視端末表示部ＤＰ１に画像情報ＧＩが示す画像（例えば、単線結線図）を表示させる場合の流れ図である。
制御卓シンクライアントＳＣＴは、操作者ＯＰＴの認証情報ＢＩを認証情報取得部ＶＥＳから取得し、取得した認証情報ＢＩをＨＭＩサーバ装置ＲＳＶへ送信する（ステップＳ１００）。監視制御サーバ装置ＭＳＶは、設備ＥＱから監視情報ＭＩを取得する（ステップＳ１１０）。ＨＭＩサーバ装置ＲＳＶは、操作権限記憶サーバ装置ＡＳＶの操作権限記憶部に記憶される操作権限情報ＬＩと、監視制御サーバ装置ＭＳＶの設備情報記憶部ＥＭに記憶される設備情報ＥＩとに基づいて、取得した認証情報ＢＩが監視制御権限を有する設備ＥＱの監視情報ＭＩを、監視制御サーバ装置ＭＳＶから取得する（ステップＳ１２０）。ＨＭＩサーバ装置ＲＳＶは、監視制御サーバ装置ＭＳＶから取得した監視情報ＭＩと設備情報ＥＩに基づいて、単線結線図等の画像を示す画像情報ＧＩを生成する（ステップＳ１３０）。ＨＭＩサーバ装置ＲＳＶは、生成した画像情報ＧＩを制御卓シンクライアントＳＣＴに送信する（ステップＳ１４０）。制御卓シンクライアントＳＣＴは、受信した画像情報ＧＩに基づいて、単線結線図等の画像を監視端末表示部ＤＰ１に表示する（ステップＳ１５０）。
【００６４】
＜設備を制御する場合について＞
図１３は、第１実施形態の集中監視制御システム１の動作の一例を示す第２の流れ図である。具体的には、図１３は、操作者ＯＰＴの操作に基づいて、設備ＥＱを制御する場合の流れ図である。
制御卓シンクライアントＳＣＴは、操作者ＯＰＴの認証情報ＢＩを認証情報取得部ＶＥＳから取得し、取得した認証情報ＢＩをＨＭＩサーバ装置ＲＳＶへ送信する（ステップＳ２００）。制御卓シンクライアントＳＣＴは、操作者ＯＰＴが設備ＥＱを制御する操作を検出する（ステップＳ２１０）。制御卓シンクライアントＳＣＴは、検出した設備ＥＱの制御を示す制御情報ＣＩをＨＭＩサーバ装置ＲＳＶに送信する（ステップＳ２２０）。ＨＭＩサーバ装置ＲＳＶは、監視制御サーバ装置ＭＳＶに制御情報ＣＩを送信する（ステップＳ２４０）。監視制御サーバ装置ＭＳＶは、ＨＭＩサーバ装置ＲＳＶから制御情報ＣＩを受信する（ステップＳ２５０）。監視制御サーバ装置ＭＳＶは、受信した制御情報ＣＩを設備ＥＱに送信する（ステップＳ２６０）。
【００６５】
＜表示部、及び集中表示盤に監視情報を表示する場合について＞
図１４は、第１実施形態の集中監視制御システム１の動作の一例を示す第３の流れ図である。具体的には、図１４は、系統盤サーバ装置ＣＳＶが集中表示盤ＰＮＬに監視情報ＭＩを表示する場合の流れ図である。
系統盤サーバ装置ＣＳＶは、設備ＥＱから監視情報ＭＩを取得する（ステップＳ３００）。系統盤サーバ装置ＣＳＶは、取得した監視情報ＭＩを系統盤ファットクライアントＦＣＴに送信する（ステップＳ３１０）。系統盤ファットクライアントＦＣＴは、表示部ＤＰ２、及び集中表示盤ＰＮＬに監視情報ＭＩを示す画像Ｐを表示する（ステップＳ３２０）。
【００６６】
［通信変換装置について］
以下、図１５を参照して、通信変換装置ＩＣＥについて説明する。
図１５は、第１実施形態の通信変換装置ＩＣＥの構成の一例を示す図である。
上述したように、設備ＥＱと、サーバ群１０（監視制御サーバ装置ＭＳＶ、系統盤サーバ装置ＣＳＶ、及びシステム監視サーバ装置ＳＳＶ）とは、ＴＣ−ＬＡＮを介して接続される。ここで、設備ＥＱは、設備ＥＱ毎に通信方式が異なる場合がある。具体的には、設備ＥＱの通信方式とは、例えば、ＨＤＬＣ（Ｈｉｇｈ  ｌｅｖｅｌ  Ｄａｔａ  Ｌｉｎｋ  Ｃｏｎｔｒｏｌ  ｐｒｏｃｅｄｕｒｅ）方式のシリアル伝送、サイクリック方式のシリアル伝送、光ＬＡＮケーブルを用いたＩＰ（Ｉｎｔｅｒｎｅｔ  Ｐｒｏｔｏｃｏｌ）伝送方式の光ＬＡＮ伝送、及びツイスト・ペア・ケーブルを用いたＩＰ伝送方式のパケット伝送のうち、いずれかである。また、ＴＣ−ＬＡＮは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）方式のＬＡＮ伝送によって情報の送受信を行う通信網である。
ここで、サーバ群１０と、設備ＥＱとがＴＣ−ＬＡＮを介して情報の送受信を行う場合には、互いの通信方式を一致させることが求められる。通信変換装置ＩＣＥは、設備ＥＱと、サーバ群１０との通信方式を一致させる装置である。具体的には、通信変換装置ＩＣＥは、サーバ群１０から設備ＥＱに送信する情報を、当該情報を受信する設備ＥＱの通信方式に変換し、送信する。また、通信変換装置ＩＣＥは、設備ＥＱからサーバ群１０に送信する情報を当該設備ＥＱの通信方式からＬＡＮ伝送に変換し、送信する。換言すると、監視制御サーバ装置ＭＳＶと、当該監視制御サーバ装置ＭＳＶの監視制御対象の設備ＥＱとは、通信変換装置ＩＣＥを介してＴＣ−ＬＡＮによって接続される。
【００６７】
図１５に示す通り、通信変換装置ＩＣＥは、ＨＤＬＣシリアル伝送部ＣＨ１、サイクリックシリアル伝送部ＣＨ２、拡張ＬＡＮ伝送部ＣＨ３、ＬＡＮ伝送部ＣＨ４、ＴＣ−ＬＡＮ伝送部ＣＨ５、及び通信処理機能を備える。
変電所Ｔは、例えば、ＨＤＬＣ方式のシリアル伝送によってデータの送受を行う設備ＥＱを備える。この場合、変電所Ｔは、ＨＤＬＣ方式のシリアル伝送を中継するＨＤＬＣ子局を備える。ここで、ＨＤＬＣ子局と、通信変換装置ＩＣＥが備えるＨＤＬＣシリアル伝送部ＣＨ１とは、ＨＤＬＣ方式のシリアル伝送によって通信されるシリアルデータを送受信する。
また、変電所Ｔは、例えば、サイクリック方式のシリアル伝送によってデータの送受を行う設備ＥＱを備える。この場合、変電所Ｔは、サイクリック方式のシリアル伝送を中継するサイクリック子局を備える。ここで、サイクリック子局と、通信変換装置ＩＣＥが備えるサイクリックシリアル伝送部ＣＨ２とは、サイクリック方式のシリアル伝送によって通信されるシリアルデータを送受信する。
また、変電所Ｔは、例えば、ＴＣＰ／ＩＰ方式の光ＬＡＮ伝送によってデータの送受信を行う設備ＥＱを備える。この場合、変電所Ｔは、光ＬＡＮ伝送を中継するＬＡＮ−ＩＦ（ＩｎｔｅｒＦａｃｅ）を備える。ここで、ＬＡＮ−ＩＦと、通信変換装置ＩＣＥが備える拡張ＬＡＮ伝送部ＣＨ３とは、ＴＣＰ／ＩＰ方式の光ＬＡＮ伝送によって通信されるパケットデータを送受信する。
また、変電所Ｔは、例えば、ＴＣＰ／ＩＰ方式のＬＡＮ伝送によってデータの送受信を行う設備ＥＱを備える。この場合、変電所Ｔは、ＬＡＮ伝送を中継するＩ／Ｏ（Ｉｎｐｕｔ／Ｏｕｔｐｕｔ）装置を備える。ここで、Ｉ／Ｏ装置と、通信変換装置ＩＣＥが備えるＬＡＮ伝送部ＣＨ４とは、ＴＣＰ／ＩＰ方式のＬＡＮ伝送によって通信されるパケットデータを送受信する。
ここで、ＨＤＬＣ方式のシリアル伝送、サイクリック方式のシリアル伝送、ＴＣＰ／ＩＰ方式の光ＬＡＮ伝送、及びＴＣＰ／ＩＰ方式のＬＡＮ伝送は、設備プロトコルの一例である。以降の説明において、ＨＤＬＣ子局、サイクリック子局ＴＣ、ＬＡＮ−ＩＦ、及びＩ／Ｏ装置を区別しない場合には、総称して、子局ＴＴと記載する。
【００６８】
通信変換装置ＩＣＥが有する通信処理機能は、子局ＴＴからいずれかの設備プロトコルによって受信する監視情報ＭＩをシステム統一フォーマットＳＵＦに変換する処理を行う。通信処理機能は、当該処理を行った監視情報ＭＩを、サーバ群１０に送信する。また、通信処理機能は、サーバ群１０から受信するＴＣＰ／ＩＰ方式のシステム統一フォーマットＳＵＦの制御情報ＣＩを、子局ＴＴに応じた設備プロトコルに変換する処理を行う。通信処理機能は、当該処理を行った制御情報ＣＩを、子局ＴＴ（設備ＥＱ）に送信する。
【００６９】
システム統一フォーマットＳＵＦとは、サーバ群１０が有するサーバ装置の通信に用いられる通信方式のフォーマットである。具体的には、システム統一フォーマットＳＵＦとは、ＴＣＰ／ＩＰ方式のフォーマットであって、ＴＣＰ／ＩＰ方式のヘッダ部と、データ部とを有する。データ部には、ＨＤＬＣシリアル伝送部ＣＨ１が取得したシリアルデータ（ＨＤＬＣ）と、サイクリックシリアル伝送部ＣＨ２が取得したシリアルデータ（サイクリック）と、拡張ＬＡＮ伝送部ＣＨ３が取得したパケットデータ（ＬＡＮ−ＩＦ）と、ＬＡＮ伝送部ＣＨ４が取得したパケットデータ（Ｉ／Ｏ装置）とが含まれる。
【００７０】
＜通信変換装置の動作について＞
図１６は、第１実施形態の通信変換装置ＩＣＥの動作の一例を示す流れ図である。
子局ＴＴは、当該子局ＴＴに接続される設備ＥＱから監視情報ＭＩを取得する（ステップＳ８００）。ここで、監視情報ＭＩには、計測部情報ＭＩＥと、監視設備識別部情報ＭＩＬとが含まれる。計測部情報ＭＩＥとは、設備ＥＱが検出する又は設備ＥＱが取得する変電所Ｔの状態を示す情報である。ここで、設備ＥＱに電流計測器が設置されている場合、子局ＴＴは、設備ＥＱの電流計測器から計測部情報ＭＩＥとして電流値を取得する。また、設備ＥＱに開閉状態検出器が設置されている場合、子局ＴＴは、設備ＥＱの開閉状態検出器から計測部情報ＭＩＥとして設備ＥＱの開閉情報を取得する。また、監視設備識別部情報ＭＩＬとは、各設備ＥＱを識別する識別情報である。子局ＴＴは、取得した監視情報ＭＩを当該子局ＴＴの通信方式によって通信変換装置ＩＣＥに供給する（ステップＳ８１０）。
通信変換装置ＩＣＥが備える通信処理機能は、各子局ＴＴから監視情報ＭＩを取得する（ステップＳ８２０）。通信処理機能は、取得した監視情報ＭＩをシステム統一フォーマットＳＵＦに変換する（ステップＳ８３０）。通信処理機能は、システム統一フォーマットＳＵＦに変換した監視情報ＭＩをサーバ群１０に送信する（ステップＳ８４０）。
サーバ群１０は、通信変換装置ＩＣＥから監視情報ＭＩを受信する（ステップＳ８５０）。また、サーバ群１０に含まれるサーバ装置のうち、監視制御サーバ装置ＭＳＶは、設備ＥＱの制御情報ＣＩをシステム統一フォーマットＳＵＦによって送信する（ステップＳ８６０）。
通信変換装置ＩＣＥは、監視制御サーバ装置ＭＳＶから制御情報ＣＩを受信する（ステップＳ８７０）。通信変換装置ＩＣＥは、受信した制御情報ＣＩを示すシステム統一フォーマットＳＵＦを各子局ＴＴの通信方式に変換する（ステップＳ８８０）。通信変換装置ＩＣＥは、変換した制御情報ＣＩを各子局ＴＴに送信する（ステップＳ８９０）。
子局ＴＴは、通信変換装置ＩＣＥから当該子局ＴＴの通信方式に応じたデータに変換された制御情報ＣＩを受信する（ステップＳ９００）。子局ＴＴは、当該子局ＴＴに接続される設備ＥＱに制御情報ＣＩを供給する（ステップＳ９１０）。これにより、設備ＥＱは、監視制御サーバ装置ＭＳＶから制御される。
【００７１】
＜通信変換装置のまとめ＞
上述した構成を換言すると、制御卓シンクライアントＳＣＴが有する操作送信機能は、制御情報ＣＩを検出し、検出した制御情報ＣＩをＨＭＩサーバ装置ＲＳＶが有するヒューマンインターフェース機能に対して送信する。ヒューマンインターフェース機能は、制御卓シンクライアントＳＣＴから制御情報ＣＩを受信し、受信した制御情報ＣＩを監視制御サーバ装置ＭＳＶが有する監視制御機能に対して送信する。監視制御機能は、受信した制御情報ＣＩを通信変換装置ＩＣＥが有する通信処理機能に対して送信する。通信処理機能は、監視制御機能から制御情報ＣＩを受信し設備ＥＱに対して送信する。また、通信処理機能は、設備ＥＱの監視情報ＭＩを取得し監視制御機能に対してヒューマンインターフェース機能を介して送信する。
【００７２】
［第１実施形態のまとめ］
本実施形態の集中監視制御システム１によれば、管轄地域毎に設置されていた監視制御システムを集約し、各管轄地域に監視制御システムを配置することに伴う経費を低減することができる。
【００７３】
また、上述したように、制御卓シンクライアントＳＣＴとは、ＨＭＩサーバ装置ＲＳＶの制御に基づいて動作するクライアントである。ここで、制御所Ｃが制御卓シンクライアントＳＣＴを備える場合、従来の方法である制御所Ｃ毎に監視制御システムを備える場合とでは、前者の方がハードディスク等の部品点数が少なくなるため、設備費用と保守費用を低減することができる。したがって、第１実施形態の集中監視制御システム１によれば、設備費用と保守費用を低減することができる。
【００７４】
また、本実施形態の集中監視制御システム１の制御卓シンクライアントＳＣＴによれば、操作者ＯＰＴの認証情報ＢＩに基づいて、監視情報ＭＩを監視端末表示部ＤＰ１に表示し、かつ認証情報ＢＩに基づいて、設備ＥＱの制御を行う。
本実施形態の集中監視制御システム１によれば、悪意ある操作者や、操作を行うこと承認されていない操作者に制御卓シンクライアントＳＣＴが操作され、監視情報ＭＩを参照されること、及び設備ＥＱが制御されることを抑制することができる。
【００７５】
また、本実施形態の集中監視制御システム１は、状態監視機能がネットワーク障害を監視し、ネットワーク障害が発生した場合、監視制御サーバ装置の運転モードを全て常用とすることで、迅速に監視制御を継続することができる。
また、状態監視機能は監視制御サーバ装置障害を監視し、監視制御サーバ装置障害が発生した場合、障害が発生した装置以外の監視制御サーバ装置のひとつの装置の運転モードを常用とすることで、迅速に監視制御を継続することができる。
上述したように、監視制御サーバ装置間で監視情報を同期し状態監視機能にて運転モードを遷移させることでシステムの可用性を高めたため、従来、制御所Ｃ毎に設置していた監視制御システムを制御所Ｃの数より少ない監視制御サーバ装置に集約することが可能となり、設備費用、及び保守費用を低減できる。
【００７６】
従来の技術では、変電所Ｔは、当該変電所Ｔに備えられる設備ＥＱとのＨＤＬＣ方式といった複数の通信方式に応じて、子局通信装置と親局通信装置、及び通信回線を備えることが求められた。
本実施形態の集中監視制御システム１において通信変換装置ＩＣＥは、複数の通信方式毎の子局通信装置からの通信を、ＴＣ−ＬＡＮ向けのＩＰ伝送方式に変換することができる。
したがって、本実施形態の集中監視制御システム１によれば、設備ＥＱの通信方式毎に監視制御システム側に親局通信装置を配置し、通信方式毎に通信回線を設ける場合と比較して、装置の数を低減することができるため、設備費用と保守費用を低減することができる。つまり、本実施形態の集中監視制御システム１によれば、複数のプロトコルを統一する機能により、電力設備に応じたプロトコルに変換する機能を有する装置に係る費用を低減することができる。
【００７７】
また、本実施形態の集中監視制御システム１において、第１ネットワークを介した監視制御サーバ装置ＭＳＶ、及び系統盤サーバ装置ＣＳＶと通信変換装置ＩＣＥとの間の通信方式とは、共通プロトコル（システム統一フォーマットＳＵＦ）であって、通信変換装置ＩＣＥは、設備に対する制御情報ＣＩを共通プロトコルによって受信し、受信した制御情報ＣＩを共通プロトコルから設備の通信方式に変換して出力する。また、通信変換装置は、設備の監視情報を設備のプロトコルによって設備から取得し、取得した監視情報ＭＩを設備のプロトコルから共通プロトコルに変換して出力する。設備の通信方式とは、互いにプロトコルが異なる第１設備プロトコル（本実施形態の一例では、ＨＤＬＣ方式のシリアル伝送）、第２設備プロトコル（本実施形態の一例では、サイクリック方式のシリアル伝送）、第３設備プロトコル（本実施形態の一例では、光ＬＡＮ伝送方式）、及び第４設備プロトコル（本実施形態の一例では、ＬＡＮ伝送方式）のうち、いずれかである。
【００７８】
本実施形態の集中監視制御システム１によれば、設備ＥＱが複数の通信方式によって通信する場合であっても、サーバ装置の通信方式である共通プロトコルにて伝送することができる。
したがって、本実施形態の集中監視制御システム１によれば、設備ＥＱの通信方式毎のプロトコルにて、通信方式毎に独立して通信データを送受する場合と比較して、共通プロトコルでは通信データが集約されるので通信量を低減することができため通信ネットワーク帯域の低減につながり、設備費用と保守費用を低減することができる。
【００７９】
なお、上述では、変電所Ｔが備える設備ＥＱと４つのそれぞれ異なる設備プロトコルにて通信を行う通信変換装置ＩＣＥついて説明したが、これに限られない。通信変換装置ＩＣＥは、全て同じ通信方式の通信を処理してもよく、４つの設備プロトコルのうちいずれの組合せであってもよい。
また、通信変換装置ＩＣＥは、複数の監視制御サーバ装置ＭＳＶにシステム統一フォーマットＳＵＦの監視情報ＭＩをマルチキャストによって送信する構成であってもよい。
この場合、監視制御サーバ装置ＭＳＶ間の通信が通信障害によって不可能であっても、全ての監視制御サーバ装置ＭＳＶのうち、通信変換装置ＩＣＥから情報の送信が可能な、監視制御サーバ装置ＭＳＶに監視情報ＭＩを送信する。これにより、監視情報ＭＩが受信可能な監視制御サーバ装置ＭＳＶが、当該監視情報ＭＩに基づいて、監視可能な範囲の設備ＥＱの監視を継続することができる。
また、上述では、子局ＴＴの設備プロトコルが４種類である場合について説明したが、これに限られない。設備プロトコルは、上述の４つより少ない数のプロトコルであってもよく、４つより多い数のプロトコルであってもよく、複数のプロトコルを組み合わせたプロトコルであってもよい。この場合、通信変換装置ＩＣＥは、子局ＴＴの設備プロトコルに応じたシステム統一フォーマットＳＵＦの変換を行う。
【００８０】
上述では、制御所Ｃと、サーバ拠点Ｓとが独立している場合について説明したが、これに限られない。サーバ拠点Ｓが備えるサーバ群１０は、制御所Ｃに備えられていてもよい。この場合、サーバ拠点Ｓは広域ネットワークｈＮを介さずに変電所Ｔの設備ＥＱを制御してもよい。
【００８１】
［第２実施形態］
＜ＨＭＩサーバ装置の仮想計算機システムについて＞
以下、図を参照して本発明の第２実施形態について説明する。
第１実施形態では、ＨＭＩサーバ装置ＲＳＶは１台の物理計算機システムによって構成される場合について説明をした。第２実施形態では、ＨＭＩサーバ装置ＲＳＶが複数の仮想計算機システムを備える構成である場合について説明する。
なお、上述した第１実施形態と同様の構成については、同一の符号を付してその説明を省略する。
【００８２】
図１７は、第２実施形態のＨＭＩサーバ装置ＲＳＶのヒューマンインターフェース機能の構成の一例を示す図である。
上述したように、監視制御サーバ装置ＭＳＶＡ、監視制御サーバ装置ＭＳＶＢ、及び監視制御サーバ装置ＭＳＶは、３つのサーバ拠点Ｓにそれぞれ分散して配置される。
また、上述したように、監視制御サーバ装置ＭＳＶは、常用動作と、待機動作との２つの動作モードによって動作する。また、上述したように、この一例では、平常時において監視制御サーバ装置ＭＳＶＡが常用動作し、監視制御サーバ装置ＭＳＶＢ、及び監視制御サーバ装置ＭＳＶＣが待機動作する。
常用動作する監視制御サーバ装置ＭＳＶ（この一例では、監視制御サーバ装置ＭＳＶＡ）は、待機として動作する監視制御サーバ装置ＭＳＶ（この一例では、監視制御サーバ装置ＭＳＶＢ、及び監視制御サーバ装置ＭＳＶＣ）が備える記憶部（不図示）であって、当該記憶部に記憶される監視情報ＭＩを、常時又は所定の間隔において更新する。これにより、集中監視制御システム１が備える監視制御サーバ装置ＭＳＶ（この一例では、監視制御サーバ装置ＭＳＶＡ、監視制御サーバ装置ＭＳＶＢ、及び監視制御サーバ装置ＭＳＶＣ）の記憶部が記憶する監視情報ＭＩは、同一の監視情報ＭＩである。
監視制御サーバ装置ＭＳＶＡは、システムＬＡＮを介して、他の監視制御サーバ装置ＭＳＶ（この一例では、監視制御サーバ装置ＭＳＶＢ、及び監視制御サーバ装置ＭＳＶＣ）に監視情報ＭＩを送信する。
【００８３】
また、上述したように、集中監視制御システム１は、複数のＨＭＩサーバ装置ＲＳＶを備える。この一例では、集中監視制御システム１は、ＨＭＩサーバ装置ＲＳＶＡ、ＨＭＩサーバ装置ＲＳＶＢ、及びＨＭＩサーバ装置ＲＳＶＣの３台のＨＭＩサーバ装置ＲＳＶを備える。ＨＭＩサーバ装置ＲＳＶＡ、ＨＭＩサーバ装置ＲＳＶＢ及びＨＭＩサーバ装置ＲＳＶＣは、上述したような動作モードが常用動作及び待機動作に切替えて動作する構成ではなく、３台とも常用動作する。また、本実施形態のＨＭＩサーバ装置ＲＳＶは、ヒューマンインターフェース機能を有する仮想計算機システムを複数備える。図１７に示す通り、この一例では、各ＨＭＩサーバ装置ＲＳＶが、それぞれ６つの仮想計算機システムによって構成される。
仮想計算機システムと制御卓シンクライアントＳＣＴとの間は、ＨＭＩ−ＬＡＮによって接続され、監視制御サーバ装置ＭＳＶＡと仮想計算機システムとの間は、システムＬＡＮによって接続される。
制御卓シンクライアントＳＣＴは、セッション接続機能を有する。制御卓シンクライアントＳＣＴが備える記憶部（不図示）には、制御卓シンクライアントＳＣＴに接続されるＨＭＩサーバ装置ＲＳＶ（仮想計算機システム）を示すセッション先情報が記憶される。制御卓シンクライアントＳＣＴが有するセッション接続機能は、集中監視制御システム１、サーバ群１０に含まれるサーバ装置のいずれか又は制御卓シンクライアントＳＣＴの起動時に、セッション先情報に基づいて、制御卓シンクライアントＳＣＴと、ＨＭＩサーバ装置ＲＳＶ（仮想計算機システム）を接続する。
【００８４】
［ネットワークについて］
以下、図１８を参照して、本実施形態の集中監視制御システム１にネットワーク障害が生じた場合の集中監視制御システム１の自動切り替え動作について説明する。
図１８は、第２実施形態の集中監視制御システム１の広域ネットワークｈＮと、既設ネットワークｅＮとの接続の一例を示す図である。具体的には、広域第１通信線ｈ１Ｒと、既設第１通信線ｅ１ＲとがリンクスイッチＳＷによって接続され、広域第２通信回線ｈ２Ｒと、既設第２通信回線ｅ２ＲとがリンクスイッチＳＷによって接続される。サーバ拠点Ｓに備えられる監視制御サーバ装置ＭＳＶは、広域ネットワークｈＮ、及び既設ネットワークｅＮを介して、監視制御対象の変電所Ｔ（設備ＥＱ）と接続される。
この一例では、サーバ拠点ＳＢが備えるリンクスイッチＳＷ１によって広域第１通信線ｈ１Ｒと、Ｂ地域制御所ＣＢの既設第１通信線ｅ１Ｒとが接続される。また、サーバ拠点ＳＢが備えるリンクスイッチＳＷ２によって広域第２通信回線ｈ２Ｒと、Ｂ地域制御所ＣＢの既設第２通信回線ｅ２Ｒとが接続される。
【００８５】
［ネットワーク障害発生時の動作について］
上述したように、広域ネットワークｈＮやサーバ拠点Ｓに不具合が生じた場合、各監視制御サーバ装置ＭＳＶの常用動作、及び待機動作が遷移される。
例えば、図１８に示す一例の場合、Ｂ地域制御所ＣＢ、及びＢ地域制御所ＣＢの既設ネットワークｅＮを介して接続される変電所Ｔ（設備ＥＱ）は、リンクスイッチＳＷ１、及びリンクスイッチＳＷ２を介してサーバ拠点ＳＢの監視制御サーバ装置ＭＳＶＢに接続される。これにより、Ｂ地域制御所ＣＢ、及びＢ地域制御所ＣＢの既設ネットワークｅＮを介して接続される変電所Ｔ（設備ＥＱ）の監視制御は、監視制御サーバ装置ＭＳＶＢによって継続される。また、広域ネットワークｈＮにネットワーク障害（通信障害）が発生した場合、上述したように、監視制御サーバ装置ＭＳＶの動作モードは、いずれの監視制御サーバ装置ＭＳＶも常用動作に遷移する。
また、ＨＭＩサーバ装置ＲＳＶは、広域ネットワークｈＮ（システムＬＡＮ）を介して接続される監視制御サーバ装置ＭＳＶとの接続の不具合を検知すると、当該接続の不具合が生じている監視制御サーバ装置ＭＳＶとの接続を切断する。また、ＨＭＩサーバ装置ＲＳＶは、現在続可能な監視制御サーバ装置ＭＳＶを検出し、接続先を変更する。
【００８６】
［第２実施形態のまとめ］
以上説明したように、第２実施形態の集中監視制御システム１のＨＭＩサーバ装置ＲＳＶは、ヒューマンインターフェース機能を有する仮想計算機システムと制御卓シンクライアントＳＣＴによって監視制御対象の変電所Ｔの設備ＥＱを監視制御する。
【００８７】
従来の技術では、制御所Ｃは、制御所Ｃに備えられる制御端末の台数に応じた台数だけ、監視制御機能を有するサーバ装置、及び端末表示機能を有するサーバ装置を設置することが求められる場合があった。
【００８８】
本実施形態の集中監視制御システム１は、ＨＭＩサーバ装置ＲＳＶの仮想計算機システムが、監視制御サーバ装置ＭＳＶと、制御卓シンクライアントＳＣＴとの情報の送受信を中継する。これにより、本実施形態の集中監視制御システム１によれば、従来よりも少ないサーバ装置の台数によって設備ＥＱの監視制御を行うことができる。つまり、本実施形態の集中監視制御システム１によれば、サーバ装置の設備費用と保守費用を低減することができる。
【００８９】
また、本実施形態の集中監視制御システム１は、集中監視制御システム１に存在する制御卓シンクライアントＳＣＴの台数よりも、ＨＭＩサーバ装置ＲＳＶが備える仮想計算機システムの数が多い。
例えば、あるＨＭＩサーバ装置ＲＳＶに不具合が発生した場合、本実施形態の集中監視制御システム１は、仮想計算機システムの数が多いため、不具合が発生しているＨＭＩサーバ装置ＲＳＶに接続される制御卓シンクライアントＳＣＴを、他のＨＭＩサーバ装置ＲＳＶの仮想計算機システムに接続することができる。これにより、本実施形態の集中監視制御システム１は、集中監視制御システム１の信頼性を向上することができる。
【００９０】
［変形例１：制御卓シンクライアントの別形態について］
以下、第１実施形態、及び第２実施形態に係る変形例１について説明する。
上述した第１実施形態、及び第２実施形態では、制御所Ｃが制御卓シンクライアントＳＣＴを１台備える場合について説明した。変形例１では、制御所Ｃが制御卓シンクライアントＳＣＴを複数台備える場合について説明する。また、制御所Ｃが備える制御卓シンクライアントＳＣＴは、互いに異なるＨＭＩサーバ装置ＲＳＶ（仮想計算機システム）に接続されるように構成される。
例えば、変形例１のＡ地域制御所ＣＡは、制御卓シンクライアントＳＣＴを２台ずつ備える。Ａ地域制御所ＣＡが備える制御卓シンクライアントＳＣＴＡは、ＨＭＩ−ＬＡＮを介してサーバ拠点ＳＡのＨＭＩサーバ装置ＲＳＶＡが備える仮想計算機システムに接続される。また、制御卓シンクライアントＳＣＴＢは、ＨＭＩ−ＬＡＮを介してサーバ拠点ＳＢのＨＭＩサーバ装置ＲＳＶＢが備える仮想計算機システムに接続される。
【００９１】
［変形例１のまとめ］
以上説明したように、変形例１の集中監視制御システム１によれば、制御所Ｃが備える複数の制御卓シンクライアントＳＣＴは、それぞれ異なるＨＭＩサーバ装置ＲＳＶに常時接続される。
【００９２】
ここで、制御所Ｃが制御卓シンクライアントＳＣＴを１台備え、制御卓シンクライアントＳＣＴをあるＨＭＩサーバ装置ＲＳＶ（この一例では、ＨＭＩサーバ装置ＲＳＶＡ）に接続させた場合について説明する。この場合、ＨＭＩサーバ装置ＲＳＶＡに不具合が発生すると、制御所Ｃが備える制御卓シンクライアントＳＣＴは、健全なＨＭＩサーバ装置ＲＳＶＢに続を切り替える作業を行うことが求められる場合がある。
【００９３】
変形例１の集中監視制御システム１によれば、あるＨＭＩサーバ装置ＲＳＶに不具合が発生した場合であっても、接続を切り替える作業を必要とせず、継続的に設備ＥＱの監視制御を行うことができる。
【００９４】
なお、上記の各実施形態における集中監視制御システム１が有するサーバ群１０のサーバ装置が備える各部は、専用のハードウェアにより実現されるものであってもよく、また、メモリ、及びマイクロプロセッサにより実現させるものであってもよい。
【００９５】
なお、集中監視制御システム１が有するサーバ群１０のサーバ装置が備える各部は、メモリ、及びＣＰＵ（中央演算装置）により構成され、集中監視制御システム１が有するサーバ群１０のサーバ装置が備える各部の機能を実現するためのプログラムをメモリにロードして実行することによりその機能を実現させるものであってもよい。
【００９６】
また、集中監視制御システム１が有するサーバ群１０のサーバ装置が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００９７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００９８】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００９９】
１…集中監視制御システム、ＥＱ…設備、ＥＩ…設備情報、ＥＭ…設備情報記憶部、ＭＳＶ…監視制御サーバ装置、ＲＳＶ…ＨＭＩサーバ装置、ＡＳＶ…操作権限記憶サーバ装置、ＯＰＴ…操作者、ＢＩ…認証情報、ＳＣＴ…制御卓シンクライアント、ＬＩ…操作権限情報、ＭＩ…監視情報、ＧＩ…画像情報、ＣＩ…制御情報、ＮＣＴ…メンテナンス卓シンクライアント、ＫＳＶ…メンテナンスサーバ装置、ＲＥＩ…更新操作情報、ＣＥＩ…更新設備情報、ＩＵ…常用設備情報記憶部、ＩＦ…非常用設備情報記憶部、ＣＳＶ…系統盤サーバ装置、ＩＣＥ…通信変換装置
【図１】
2018106246.tif 000003
【図２】
2018106246.tif 000004
【図３】
2018106246.tif 000005
【図４】
2018106246.tif 000006
【図５】
2018106246.tif 000007
【図６】
2018106246.tif 000008
【図７】
2018106246.tif 000009
【図８】
2018106246.tif 000010
【図９】
2018106246.tif 000011
【図１０】
2018106246.tif 000012
【図１１】
2018106246.tif 000013
【図１２】
2018106246.tif 000014
【図１３】
2018106246.tif 000015
【図１４】
2018106246.tif 000016
【図１５】
2018106246.tif 000017
【図１６】
2018106246.tif 000018
【図１７】
2018106246.tif 000019
【図１８】
2018106246.tif 000020